(57)【要約】      （修正有）【課題】ワイヤレス通信環境内での許可シグナリングに関連するブラインド復号結果の処理及びプルーニングする方法を提供する。【解決手段】許可シグナリングに関連するブラインド復号結果は様々な方法でプルーニングされ、その結果に関連するフォールスアラーム確率を低減する。それぞれの復号候補を可能な無線ネットワーク一時識別子（ＲＮＴＩ）値に制約し、それぞれの復号候補のペイロードに対して妥当性検査を実行し、候補の前にプルーニングされたセットから最も可能性がある復号候補を選択する。さらに、あらかじめ定義されたパターンに従って許可メッセージ中にフィラービット（パディングビット、予約済みビットなど）を生成し、それにより、フォールスアラームレートをさらに低減するためのそのようなビットを検査する。【選択図】図１
2015092674.tif 000002
【特許請求の範囲】
【請求項１】
候補許可のセットを受信する処理と、
少なくとも１つの基準に基づいて、無効であると見なされたそれぞれの受信された候補許可を廃棄し、それにより、０個以上の残りの候補許可を生じる処理と、
前記０個以上の残りの候補許可の中から０個以上の候補許可を選択する処理と
を備える方法。
【請求項２】
前記受信する処理は、
関連する制御チャネルに関してブラインド復号を実行する処理と、
前記ブラインド復号に基づいて候補許可の前記セットを識別する処理と
を含む請求項１に記載の方法。
【請求項３】
前記関連する制御チャネルが、物理ダウンリンク共有チャネル（ＰＤＳＣＨ）またはリレーＰＤＳＣＨ（Ｒ−ＰＤＳＣＨ）のためのリソース割振り情報を搬送する請求項２に記載の方法。
【請求項４】
前記関連する制御チャネルが物理ダウンリンク制御チャネル（ＰＤＣＣＨ）を備える請求項３に記載の方法。
【請求項５】
前記廃棄する処理は、
関連する動作モードを識別する処理と、
前記関連する動作モードに対応する有効な無線ネットワーク一時識別子（ＲＮＴＩ）値のセットを構築する処理と、
有効なＲＮＴＩ値の前記セット中に含まれないＲＮＴＩ値を有すると判断されたそれぞれの候補許可を廃棄する処理と
を含む請求項４に記載の方法。
【請求項６】
前記構築する処理は、
接続動作モードを識別することに応答して、接続ＲＮＴＩ（Ｃ−ＲＮＴＩ）値を有効なＲＮＴＩ値の前記セットに追加する処理を含む請求項５に記載の方法。
【請求項７】
前記構築する処理は、
ページングオケージョンを識別することに応答して、ページングＲＮＴＩ（Ｐ−ＲＮＴＩ）値を有効なＲＮＴＩ値の前記セットに追加する処理と、
システム情報を監視または受信すべき時間間隔を識別することに応答して、システム情報ＲＮＴＩ（ＳＩ−ＲＮＴＩ）値を有効なＲＮＴＩ値の前記セットに追加する処理と、
ランダムアクセスチャネル（ＲＡＣＨ）プロシージャを識別することに応答して、ランダムアクセスＲＮＴＩ（ＲＡ−ＲＮＴＩ）値を有効なＲＮＴＩ値の前記セットに追加する処理と
のうちの１つまたは複数を含む請求項５に記載の方法。
【請求項８】
前記構築する処理は、
関連するダウンリンク構成を識別することに応答して、物理アップリンク制御チャネルＲＮＴＩのための送信電力制御（ＴＰＣ−ＰＵＣＣＨ−ＲＮＴＩ）値を有効なＲＮＴＩ値の前記セットに追加する処理と、
関連するアップリンク構成を識別することに応答して、物理アップリンク共有チャネルＲＮＴＩのための送信電力制御（ＴＰＣ−ＰＵＳＣＨ−ＲＮＴＩ）値を有効なＲＮＴＩ値の前記セットに追加する処理と
のうちの１つまたは複数を含む請求項５に記載の方法。
【請求項９】
前記関連する制御チャネルが物理ブロードキャストチャネル（ＰＢＣＨ）を備える請求項２に記載の方法。
【請求項１０】
前記廃棄する処理は、
１つまたは複数の基準に従って、妥当性についてそれぞれの候補許可のペイロードを検査する処理と、
前記検査することに基づいて、無効なペイロードを有することがわかったそれぞれの候補許可を廃棄する処理と
を含む請求項１に記載の方法。
【請求項１１】
前記廃棄する処理は、
関連するデバイス能力のセットを識別する処理と、
関連するデバイス能力の前記セットの外の１つまたは複数のパラメータを示すペイロードを有するそれぞれの候補許可を廃棄する処理と
をさらに備える請求項１０に記載の方法。
【請求項１２】
前記廃棄する処理は、
無効なリソースブロックサイズ、無効な変調もしくは符号化方式、無効なプリコーディング情報、または無効な帯域幅構成値のうちの少なくとも１つを示すペイロードを有するそれぞれの候補許可を廃棄する処理をさらに備える請求項１０に記載の方法。
【請求項１３】
前記廃棄する処理は、
関連するリソース範囲を識別する処理と、
前記関連するリソース範囲の外のリソースを示すペイロードを有するそれぞれの候補許可を廃棄する処理と
をさらに備える請求項１０に記載の方法。
【請求項１４】
前記廃棄する処理は、
許可内のそれぞれのフィラービットのための利用されるべき予想パターンを識別する処理と、
前記予想パターンに一致しない少なくとも１つのフィラービットを備えるペイロードを有するそれぞれの候補許可を廃棄する処理と
をさらに備える請求項１０に記載の方法。
【請求項１５】
前記廃棄する処理は、
半永続的スケジューリング（ＳＰＳ）動作モードを識別する処理と、
前記ＳＰＳ動作モードを識別することに応答して、送信ダイバーシティをシグナリングするには無効であるペイロードを有するそれぞれの候補許可を廃棄する処理と
を含む請求項１０に記載の方法。
【請求項１６】
前記０個以上の残りの候補許可に関連するアグリゲーションレベルに基づいて、前記０個以上の残りの候補許可の中から０個以上の候補許可を選択することを備える請求項１に記載の方法。
【請求項１７】
前記選択する処理は、
前記０個以上の残りの候補許可の中から最も高いアグリゲーションレベルを有する候補許可を選択する処理と、または
前記０個以上の残りの候補許可の中から最も低いアグリゲーションレベルを有する候補許可を選択する処理と
のうちの少なくとも１つをさらに備える請求項１６に記載の方法。
【請求項１８】
前記選択する処理は、
前記０個以上の残りの候補許可に関して実行される復号に関係するエネルギーメトリックに基づいて、前記０個以上の残りの候補許可の中から０個以上の候補許可を選択する処理を含む請求項１に記載の方法。
【請求項１９】
前記選択する処理は、
前記０個以上の残りの候補許可を残りのアップリンク許可と残りのダウンリンク許可とに分ける処理と、
前記０個以上の残りの候補許可の中から残りのアップリンク許可または残りのダウンリンク許可のうちの少なくとも１つを選択する処理と
を含む請求項１に記載の方法。
【請求項２０】
候補許可のセットに関係するデータを記憶するメモリと、
少なくとも１つの基準に基づいて、無効であると見なされたそれぞれの候補許可を廃棄し、それにより、０個以上の残りの候補許可を生じることと、前記０個以上の残りの候補許可の中から０個以上の候補許可を選択することとを行うように構成されたプロセッサと
を備えるワイヤレス通信装置。
【請求項２１】
前記プロセッサは、
少なくとも部分的に、関連する制御チャネルに関してブラインド復号を実行し、前記ブラインド復号に基づいて候補許可の前記セットを識別することによって、候補許可の前記セットを受信するようにさらに構成された請求項２０に記載のワイヤレス通信装置。
【請求項２２】
前記関連する制御チャネルは、
物理ダウンリンク共有チャネル（ＰＤＳＣＨ）またはリレーＰＤＳＣＨ（Ｒ−ＰＤＳＣＨ）のためのリソース割振り情報を搬送する請求項２１に記載のワイヤレス通信装置。
【請求項２３】
前記関連する制御チャネルは、
物理ダウンリンク制御チャネル（ＰＤＣＣＨ）を備える請求項２２に記載のワイヤレス通信装置。
【請求項２４】
前記メモリは関連する動作モードに関係するデータをさらに記憶し、
前記プロセッサは、
前記関連する動作モードに対応する有効な無線ネットワーク一時識別子（ＲＮＴＩ）値のセットを構築し、有効なＲＮＴＩ値の前記セット中に含まれないＲＮＴＩ値を有すると判断されたそれぞれの候補許可を廃棄するようにさらに構成された請求項２３に記載のワイヤレス通信装置。
【請求項２５】
前記関連する制御チャネルが物理ブロードキャストチャネル（ＰＢＣＨ）を備える請求項２１に記載のワイヤレス通信装置。
【請求項２６】
前記プロセッサは、
１つまたは複数の基準に従って、妥当性についてそれぞれの候補許可のペイロードを検査し、無効なペイロードを有することがわかったそれぞれの候補許可を廃棄するようにさらに構成された請求項２０に記載のワイヤレス通信装置。
【請求項２７】
前記メモリは関連するデバイス能力のセットに関係するデータをさらに記憶し、
前記プロセッサは、
関連するデバイス能力の前記セットの外の１つまたは複数のパラメータを示すペイロードを有するそれぞれの候補許可を廃棄するようにさらに構成された請求項２６に記載のワイヤレス通信装置。
【請求項２８】
前記プロセッサは、
無効なリソースブロックサイズ、無効な変調もしくは符号化方式、無効なプリコーディング情報、無効な帯域幅構成値、または所定の有効なリソース範囲の外のリソースを含むリソース割振りのうちの少なくとも１つを示すペイロードを有するそれぞれの候補許可を廃棄するようにさらに構成された請求項２６に記載のワイヤレス通信装置。
【請求項２９】
前記メモリは許可内のそれぞれのフィラービットのための利用されるべき予想パターンに関係するデータをさらに記憶し、
前記プロセッサは、
前記予想パターンに一致しない少なくとも１つのフィラービットを備えるペイロードを有するそれぞれの候補許可を廃棄するようにさらに構成された請求項２６に記載のワイヤレス通信装置。
【請求項３０】
前記メモリは半永続的スケジューリング（ＳＰＳ）動作モードに関係するデータをさらに記憶し、
前記プロセッサは、
前記ＳＰＳ動作モードを識別することに応答して、送信ダイバーシティをシグナリングするには無効であるペイロードを有するそれぞれの候補許可を廃棄するようにさらに構成された請求項２６に記載のワイヤレス通信装置。
【請求項３１】
前記プロセッサは、
前記０個以上の残りの候補許可に関連するアグリゲーションレベルに基づいて、前記０個以上の残りの候補許可の中から０個以上の候補許可を選択するようにさらに構成された請求項２０に記載のワイヤレス通信装置。
【請求項３２】
前記プロセッサは、
前記０個以上の残りの候補許可に関して実行される復号に関係するエネルギーメトリックに基づいて、前記０個以上の残りの候補許可の中から０個以上の候補許可を選択するようにさらに構成された請求項２０に記載のワイヤレス通信装置。
【請求項３３】
前記プロセッサは、
前記０個以上の残りの候補許可を残りのアップリンク許可と残りのダウンリンク許可とに分け、前記０個以上の残りの候補許可の中から残りのアップリンク許可または残りのダウンリンク許可のうちの少なくとも１つを選択するようにさらに構成された請求項２０に記載のワイヤレス通信装置。
【請求項３４】
候補許可のセットを受信するための手段と、
０個以上の残りの候補許可を取得するために、少なくとも１つのファクタに基づいて、無効であると見なされたそれぞれの受信された候補許可を廃棄するための手段と、
前記０個以上の残りの候補許可の中から０個以上の候補許可を選択するための手段と
を備える装置。
【請求項３５】
前記受信するための手段は、
関連する制御チャネルに関してブラインド復号を実行するための手段と、
前記ブラインド復号に基づいて候補許可の前記セットを識別するための手段と
を含む請求項３４に記載の装置。
【請求項３６】
前記関連する制御チャネルが物理ダウンリンク制御チャネル（ＰＤＣＣＨ）を備える請求項３５に記載の装置。
【請求項３７】
前記廃棄するための手段は、
関連する動作モードを識別するための手段と、
前記関連する動作モードに対応する有効な無線ネットワーク一時識別子（ＲＮＴＩ）値のセットを構築するための手段と、
有効なＲＮＴＩ値の前記セット中に含まれないＲＮＴＩ値を有すると判断されたそれぞれの候補許可を廃棄するための手段と
を含む請求項３６に記載の装置。
【請求項３８】
前記関連する制御チャネルが物理ブロードキャストチャネル（ＰＢＣＨ）を備える請求項３５に記載の装置。
【請求項３９】
前記廃棄するための手段は、
１つまたは複数のファクタに従って、妥当性についてそれぞれの候補許可のペイロードを検査するための手段と、
検査のための前記手段の動作に基づいて、無効なペイロードを有することがわかったそれぞれの候補許可を廃棄するための手段と
を含む請求項３４に記載の装置。
【請求項４０】
前記廃棄するための手段は、
関連するデバイス能力のセットを識別するための手段と、
関連するデバイス能力の前記セットの外の１つまたは複数のパラメータを示すペイロードを有するそれぞれの候補許可を廃棄するための手段と
をさらに備える請求項３９に記載の装置。
【請求項４１】
前記廃棄するための手段は、
無効なリソースブロックサイズ、無効な変調もしくは符号化方式、無効なプリコーディング情報、無効な帯域幅構成値、またはサポートされたリソース範囲の外のリソース割振りのうちの少なくとも１つを示すペイロードを有するそれぞれの候補許可を廃棄するための手段をさらに備える請求項３９に記載の装置。
【請求項４２】
前記廃棄するための手段は、
許可内のそれぞれのフィラービットのための利用されるべき予想パターンを識別するための手段と、
前記予想パターンに一致しない少なくとも１つのフィラービットを備えるペイロードを有するそれぞれの候補許可を廃棄するための手段と
をさらに備える請求項３９に記載の装置。
【請求項４３】
前記選択するための手段は、
前記０個以上の残りの候補許可に関連するアグリゲーションレベル、または前記０個以上の残りの候補許可に関して実行される復号に関連するエネルギーメトリックのうちの少なくとも１つに基づいて、前記０個以上の残りの候補許可の中から０個以上の候補許可を選択するための手段を含む請求項３４に記載の装置。
【請求項４４】
前記選択するための手段は、
前記０個以上の残りの候補許可を残りのアップリンク許可と残りのダウンリンク許可とに分離するための手段と、
前記０個以上の残りの候補許可の中から残りのアップリンク許可または残りのダウンリンク許可のうちの少なくとも１つを選択するための手段と
含む請求項３４に記載の装置。
【請求項４５】
コンピュータに候補許可のセットを受信させるためのコードと、
コンピュータに、０個以上の残りの候補許可を取得するために、少なくとも１つのファクタに基づいて、無効であると見なされたそれぞれの受信された候補許可を廃棄させるためのコードと、
コンピュータに、前記０個以上の残りの候補許可の中から０個以上の候補許可を選択させるためのコードと
を有するコンピュータ可読媒体を備えたコンピュータプログラム製品。
【請求項４６】
前記コンピュータに受信させるためのコードは、
コンピュータに、関連する制御チャネルに関してブラインド復号を実行させるためのコードと、
コンピュータに、前記ブラインド復号に基づいて候補許可の前記セットを識別させるためのコードと
を含む請求項４５に記載のコンピュータプログラム製品。
【請求項４７】
前記関連する制御チャネルが物理ダウンリンク制御チャネル（ＰＤＣＣＨ）を備える請求項４６に記載のコンピュータプログラム製品。
【請求項４８】
前記コンピュータに廃棄させるためのコードは、
コンピュータに、関連する動作モードを識別させるためのコードと、
コンピュータに、前記関連する動作モードに対応する有効な無線ネットワーク一時識別子（ＲＮＴＩ）値のセットを構築させるためのコードと、
コンピュータに、有効なＲＮＴＩ値の前記セット中に含まれないＲＮＴＩ値を有すると判断されたそれぞれの候補許可を廃棄させるためのコードと
を含む請求項４７に記載のコンピュータプログラム製品。
【請求項４９】
前記関連する制御チャネルが物理ブロードキャストチャネル（ＰＢＣＨ）を備える請求項４６に記載のコンピュータプログラム製品。
【請求項５０】
前記コンピュータに廃棄させるためのコードは、
コンピュータに、１つまたは複数のファクタに従って、妥当性についてそれぞれの候補許可のペイロードを検査させるためのコードと、
コンピュータに、検査のための前記手段の動作に基づいて、無効なペイロードを有することがわかったそれぞれの候補許可を廃棄させるためのコードと
を含む請求項４５に記載のコンピュータプログラム製品。
【請求項５１】
前記コンピュータに選択させるためのコードは、
コンピュータに、前記０個以上の残りの候補許可に関連するアグリゲーションレベル、または前記０個以上の残りの候補許可に関して実行される復号に関連するエネルギーメトリックのうちの少なくとも１つに基づいて、前記０個以上の残りの候補許可の中から０個以上の候補許可を選択させるためのコードを含む請求項４５のコンピュータプログラム製品。
【請求項５２】
許可メッセージのペイロード内の１つまたは複数のフィラービットを識別する処理と、
あらかじめ定義されたパターンに従って、前記許可メッセージの前記ペイロード内の前記１つまたは複数のフィラービットに値を割り当てる処理と
を備える方法。
【請求項５３】
前記許可メッセージの前記ペイロード内の前記１つまたは複数のフィラービットがパディングビットを備える請求項５２に記載の方法。
【請求項５４】
前記許可メッセージの前記ペイロード内の前記１つまたは複数のフィラービットが、前記許可メッセージの前記ペイロード内の少なくとも１つの予約済みフィールドに対応する請求項５２に記載の方法。
【請求項５５】
前記あらかじめ定義されたパターンがオール０パターンである請求項５２に記載の方法。
【請求項５６】
あらかじめ定義されたフィラービットパターンに関係するデータを記憶するメモリと、
前記あらかじめ定義されたフィラービットパターンに従って、許可メッセージのペイロード内の１つまたは複数のフィラービットに値を割り当てるように構成されたプロセッサと
を備えるワイヤレス通信装置。
【請求項５７】
前記許可メッセージの前記ペイロード内の前記１つまたは複数のフィラービットがパディングビットを備える請求項５６に記載のワイヤレス通信装置。
【請求項５８】
前記許可メッセージの前記ペイロード内の前記１つまたは複数のフィラービットが、前記許可メッセージの前記ペイロード内の少なくとも１つの予約済みフィールドに対応する請求項５６に記載のワイヤレス通信装置。
【請求項５９】
前記あらかじめ定義されたフィラービットパターンがオール０パターンを備える請求項５６に記載のワイヤレス通信装置。
【請求項６０】
許可メッセージに対応する１つまたは複数のフィラービットを識別するための手段と、
あらかじめ定義されたパターンに従って、前記許可メッセージに対応する前記１つまたは複数のフィラービットに値を割り当てるための手段と
を備える装置。
【請求項６１】
前記許可メッセージに対応する前記１つまたは複数のフィラービットがパディングビットを備える請求項６０に記載の装置。
【請求項６２】
前記許可メッセージに対応する前記１つまたは複数のフィラービットが、前記許可メッセージのペイロード内の少なくとも１つの予約済みフィールドに関連する請求項６０に記載の装置。
【請求項６３】
前記あらかじめ定義されたパターンがオール０パターンである請求項６０に記載の装置。
【請求項６４】
コンピュータに、許可メッセージに対応する１つまたは複数のフィラービットを識別させるためのコードと、
コンピュータに、あらかじめ定義されたパターンに従って、前記許可メッセージに対応する前記１つまたは複数のフィラービットに値を割り当てさせるためのコードと
を有するコンピュータ可読媒体を備えたコンピュータプログラム製品。
【請求項６５】
前記許可メッセージに対応する前記１つまたは複数のフィラービットがパディングビットを備える請求項６４に記載のコンピュータプログラム製品。
【請求項６６】
前記許可メッセージに対応する前記１つまたは複数のフィラービットが、前記許可メッセージのペイロード内の少なくとも１つの予約済みフィールドに関連する請求項６４に記載のコンピュータプログラム製品。
【発明の詳細な説明】
【優先権の主張】
【０００１】
本願は、参照によって本願に明確に組み込まれた２００９年５月７日出願の“A method and apparatus for PDCCH blind decoding for a wireless communication system”と題する米国特許仮出願第米国仮出願第６１／１７６，４８２号の優先権を主張する。
【技術分野】
【０００２】
本開示は、一般にワイヤレス通信に関し、より詳細には、ワイヤレス通信環境において行われる送信を構造化し、復号するための技法に関する。
【背景技術】
【０００３】
ワイヤレス通信システムは、様々な通信サービスを提供するために広く展開されており、そのようなワイヤレス通信システムを介して、たとえば、ボイス、ビデオ、パケットデータ、ブロードキャスト、およびメッセージングサービスを提供することができる。これらのシステムは、利用可能なシステムリソースを共有することによって複数の端末のための通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
概して、ワイヤレス多元接続通信システムは、複数のワイヤレス端末のための通信を同時にサポートすることができる。そのようなシステムでは、各端末は、順方向リンクおよび逆方向リンク上の送信を介して１つまたは複数の基地局と通信することができる。順方向リンク（またはダウンリンク）とは、基地局から端末への通信リンクを指し、逆方向リンク（またはアップリンク）とは、端末から基地局への通信リンクを指す。この通信リンクは、単入力単出力（ＳＩＳＯ）、多入力単出力（ＭＩＳＯ）、単入力多出力（ＳＩＭＯ）、または多入力多出力（ＭＩＭＯ）システムを介して確立され得る。
【０００５】
様々なワイヤレス通信システム展開において、デバイスは、許可および／または他の好適なメッセージングを介して情報を送信または受信するためのリソースについての割当てを受信することができる。従来、ワイヤレス通信中で動作するデバイスは、許可メッセージングがそれによってデバイスに供給されることになる構成パラメータ（たとえば、帯域幅パラメータ、アンテナ構成、チャネル構成など）の事前知識を有しない。したがって、ネットワークからの許可を期待するデバイスは、潜在的な許可メッセージングに関連する複数の仮説（hypothesis）をテストするため、または場合によっては検査するために、ブラインド復号および／または他の技法を利用することができる。しかしながら、ブラインド復号が、許可メッセージおよび／または他の制御シグナリングに対応する複数の仮説を発生する場合には、関連するデバイスが有効な制御シグナリングを誤って検出する可能性がある。ブラインド復号プロセスから取得されるそのようなフォールスポジティブ（false positive）は、全体としてデバイスおよび／または通信システムのパフォーマンスに悪影響を及ぼし得る。したがって、ワイヤレス通信システム中のデバイスによって実行されるブラインド復号プロセス中のフォールスポジティブの発生を低減し、および／またはその影響を緩和するための技法を実装することが望ましいであろう。
【発明の概要】
【０００６】
以下で、請求する主題の様々な態様の基本的理解を与えるために、そのような態様の簡略化された概要を提示する。この概要は、すべての企図された態様の包括的な概観ではなく、主要または重要な要素を識別するものでも、そのような態様の範囲を定めるものでもない。その唯一の目的は、後で提示するより詳細な説明の導入として、開示する態様のいくつかの概念を簡略化された形で提示することである。
【０００７】
一態様によれば、方法が本明細書で説明される。本方法は、候補許可のセットを受信することと、少なくとも１つの基準に基づいて、無効であると見なされたそれぞれの受信された候補許可を廃棄し、それにより、０個以上の残りの候補許可を生じることと、０個以上の残りの候補許可の中から０個以上の候補許可を選択することとを備えることができる。
【０００８】
本明細書で説明する第２の態様は、候補許可のセットに関係するデータを記憶するメモリを備えることができるワイヤレス通信装置に関する。本ワイヤレス通信装置は、少なくとも１つの基準に基づいて、無効であると見なされたそれぞれの候補許可を廃棄し、それにより、０個以上の残りの候補許可を生じることと、０個以上の残りの候補許可の中から０個以上の候補許可を選択することとを行うように構成されたプロセッサをさらに備えることができる。
【０００９】
第３の態様は、候補許可のセットを受信するための手段と、０個以上の残りの候補許可を取得するために、少なくとも１つのファクタに基づいて、無効であると見なされたそれぞれの受信された候補許可を廃棄するための手段と、０個以上の残りの候補許可の中から０個以上の候補許可を選択するための手段とを備えることができる装置に関する。
【００１０】
本明細書で説明する第４の態様は、コンピュータに候補許可のセットを受信させるためのコードと、コンピュータに、０個以上の残りの候補許可を取得するために、少なくとも１つのファクタに基づいて、無効であると見なされたそれぞれの受信された候補許可を廃棄させるためのコードと、コンピュータに、０個以上の残りの候補許可の中から０個以上の候補許可を選択させるためのコードとを備えるコンピュータ可読媒体を含むことができる、コンピュータプログラム製品に関する。
【００１１】
第５の態様によれば、方法が本明細書で説明される。本方法は、許可メッセージのペイロード内の１つまたは複数のフィラービットを識別することと、あらかじめ定義されたパターンに従って、許可メッセージのペイロード内の１つまたは複数のフィラービットに値を割り当てることとを備えることができる。
【００１２】
本明細書で説明する第６の態様は、あらかじめ定義されたフィラービットパターンに関係するデータを記憶するメモリを備えることができるワイヤレス通信装置に関する。本ワイヤレス通信装置は、あらかじめ定義されたフィラービットパターンに従って、許可メッセージのペイロード内の１つまたは複数のフィラービットに値を割り当てるように構成されたプロセッサをさらに備えることができる。
【００１３】
第７の態様は、許可メッセージに対応する１つまたは複数のフィラービットを識別するための手段と、あらかじめ定義されたパターンに従って、許可メッセージに対応する１つまたは複数のフィラービットに値を割り当てるための手段とを備えることができる装置に関する。
【００１４】
本明細書で説明する第８の態様は、コンピュータに、許可メッセージに対応する１つまたは複数のフィラービットを識別させるためのコードと、コンピュータに、あらかじめ定義されたパターンに従って、許可メッセージに対応する１つまたは複数のフィラービットに値を割り当てさせるためのコードとを備えるコンピュータ可読媒体を含むことができる、コンピュータプログラム製品に関する。
【００１５】
上記および関係する目的を達成するために、請求する主題の１つまたは複数の態様は、以下で十分に説明し、特に特許請求の範囲で指摘する特徴を備える。以下の説明および添付の図面に、請求する主題のいくつかの例示的な態様を詳細に記載する。ただし、これらの態様は、請求する主題の原理を採用することができる様々な方法のほんのいくつかを示すものである。さらに、開示する態様は、すべてのそのような態様およびそれらの均等物を含むものとする。
【図面の簡単な説明】
【００１６】
【図１】ワイヤレス通信システムにおけるリソース許可構成および処理を可能にするシステムのブロック図。
【図２】様々な態様による、無線ネットワーク一時識別子（ＲＮＴＩ）パラメータに基づいてブラインド復号結果の妥当性を評価するためのシステムのブロック図。
【図３】様々な態様による、有効なＲＮＴＩセットを構築するための例示的な方法を示すフローチャート。
【図４】様々な態様による、デバイス能力および／または構成パラメータ妥当性に基づいてブラインド復号結果の妥当性を評価するためのシステムのブロック図。
【図５】様々な態様による、ブラインド復号結果の妥当性を評価するための例示的な方法を示すフローチャート。
【図６】様々な態様による、ブラインド復号結果の妥当性を評価するための例示的な方法を示すフローチャート。
【図７】様々な態様による、ブラインド復号結果の妥当性を評価するための例示的な方法を示すフローチャート。
【図８】様々な態様による、ブラインド復号結果の妥当性を評価するための例示的な方法を示すフローチャート。
【図９】様々な態様による、リソース許可構成を可能にするシステムのブロック図。
【図１０】様々な態様による、候補リソース許可の処理されたセットから１つまたは複数のリソース許可を選択するためのシステムのブロック図。
【図１１】様々な態様による、許可選択を実行するための例示的な方法のブロック図。
【図１２】様々な態様による、許可選択を実行するための例示的な方法のブロック図。
【図１３】ワイヤレス通信システムに関連する候補許可のセットを処理するための方法のフローチャート。
【図１４】ワイヤレス通信システム内での通信のための候補許可メッセージを構築するための方法のフローチャート。
【図１５】ワイヤレス通信システムにおける許可プルーニングおよび選択を可能にする装置のブロック図。
【図１６】ワイヤレス通信システムにおける許可生成を可能にする装置のブロック図。
【図１７】本明細書で説明する様々な態様を実装するために利用され得るワイヤレス通信デバイスのブロック図。
【図１８】本明細書で説明する様々な態様を実装するために利用され得るワイヤレス通信デバイスのブロック図。
【図１９】本明細書に記載する様々な態様によるワイヤレス多元接続通信システムを示す図。
【図２０】本明細書で説明する様々な態様が機能することができる、例示的なワイヤレス通信システムを示すブロック図。
【発明を実施するための形態】
【００１７】
次に、図面を参照しながら請求する主題の様々な態様について説明する。図面全体にわたって、同様の要素を指すのに同様の参照符号を使用する。以下の記述では、説明の目的で、１つまたは複数の態様の完全な理解を与えるために多数の具体的な詳細を記載する。ただし、そのような（１つまたは複数の）態様は、これらの具体的な詳細なしに実施され得ることは明らかであろう。他の例では、１つまたは複数の態様の説明を円滑にするために、よく知られている構造およびデバイスをブロック図の形態で示す。
【００１８】
本出願で使用する「構成要素」、「モジュール」、「システム」などの用語は、ハードウェア、ファームウェア、ハードウェアとソフトウェアの組合せ、ソフトウェア、または実行中のソフトウェアなど、コンピュータ関連のエンティティを指すものとする。たとえば、構成要素は、プロセッサ上で実行されるプロセス、集積回路、オブジェクト、実行ファイル、実行スレッド、プログラム、および／またはコンピュータとすることができるが、これらに限定されない。例として、コンピューティングデバイス上で実行されるアプリケーションと、そのコンピューティングデバイスの両方を構成要素とすることができる。１つまたは複数の構成要素がプロセスおよび／または実行スレッド内に常駐することができ、１つの構成要素を１つのコンピュータ上に配置し、および／または２つ以上のコンピュータ間に分散することができる。さらに、これらの構成要素は、様々なデータ構造を記憶している様々なコンピュータ可読媒体から実行することができる。これらの構成要素は、１つまたは複数のデータパケット（たとえば、ローカルシステム、分散システム内、および／または他のシステムを用いるインターネットなどのネットワーク全体の中の別の構成要素と信号を介して相互作用する１つの構成要素からのデータ）を有する信号によるなど、ローカルおよび／またはリモートプロセスを介して通信することができる。
【００１９】
さらに、本明細書ではワイヤレス端末および／または基地局に関する様々な態様について説明する。ワイヤレス端末は、ユーザにボイスおよび／またはデータ接続性を提供するデバイスを指すことができる。ワイヤレス端末は、ラップトップコンピュータまたはデスクトップコンピュータなどのコンピューティングデバイスに接続でき、あるいは携帯情報端末（ＰＤＡ）などの自蔵式デバイスとすることができる。ワイヤレス端末はまた、システム、加入者ユニット、加入者局、移動局、モバイル、リモート局、アクセスポイント、リモート端末、アクセス端末、ユーザ端末、ユーザエージェント、ユーザデバイス、またはユーザ機器（ＵＥ）と呼ばれることがある。ワイヤレス端末は、加入者局、ワイヤレスデバイス、セルラー電話、ＰＣＳ電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、またはワイヤレスモデムに接続された他の処理デバイスとすることができる。基地局（たとえば、アクセスポイントまたはノードＢ）は、１つまたは複数のセクタを通って、エアインターフェースを介してワイヤレス端末と通信する、アクセスネットワーク中のデバイスを指すことができる。基地局は、受信したエアインターフェースフレームをインターネットプロトコル（ＩＰ）パケットに変換することによって、ワイヤレス端末と、ＩＰネットワークを含むことができるアクセスネットワークの残部との間のルータとして働くことができる。基地局はまた、エアインターフェースの属性の管理を調整する。
【００２０】
その上、本明細書で説明する様々な機能は、ハードウェア、ソフトウェア、ファームウェア、またはそれらの組合せで実装され得る。ソフトウェアで実装した場合、機能は、１つまたは複数の命令またはコードとしてコンピュータ可読媒体に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスできる利用可能な媒体とすることができる。限定ではなく、例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスクおよびブルーレイディスク（disc）（ＢＤ）を含み、ディスク（disk）は、通常、データを磁気的に再生し、ディスク（disc）は、データをレーザで光学的に再生する。上記の組合せもコンピュータ可読媒体の範囲内に含めるべきである。
【００２１】
本明細書で説明する様々な技法は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリアＦＤＭＡ（ＳＣ−ＦＤＭＡ）システム、および他のそのようなシステムなど、様々なワイヤレス通信システムに対して使用され得る。「システム」および「ネットワーク」という用語は、本明細書ではしばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ＣＤＭＡ２０００などの無線技術を実装することができる。ＵＴＲＡは、広帯域ＣＤＭＡ（Ｗ−ＣＤＭＡ）およびＣＤＭＡの他の変形態を含む。さらに、ＣＤＭＡ２０００は、ＩＳ−２０００、ＩＳ−９５およびＩＳ−８５６規格をカバーする。ＴＤＭＡシステムはＧｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ(登録商標)）などの無線技術を実装することができる。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、ダウンリンク上ではＯＦＤＭＡを採用し、アップリンク上ではＳＣ−ＦＤＭＡを採用するＥ−ＵＴＲＡを使用する今度のリリースである。ＵＴＲＡ、Ｅ−ＵＴＲＡ、ＵＭＴＳ、ＬＴＥおよびＧＳＭ(登録商標)は、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の団体からの文書に記載されている。さらに、ＣＤＭＡ２０００およびＵＭＢは、「３ｒｄ  Ｇｅｎｅｒａｔｉｏｎ  Ｐａｒｔｎｅｒｓｈｉｐ  Ｐｒｏｊｅｃｔ２」（３ＧＰＰ２）という名称の団体からの文書に記載されている。
【００２２】
いくつかのデバイス、構成要素、モジュールなどを含むことができるシステムに関して、様々な態様を提示する。様々なシステムは、追加のデバイス、構成要素、モジュールなどを含み、および／または各図に関連して説明するデバイス、構成要素、モジュールなどの一部もしくは全部を省略し得ることを理解および諒解されたい。これらの手法の組合せを使用することもできる。
【００２３】
さらに、請求する主題の様々な態様に従って実行され得る様々な方法について本明細書で説明する。説明を簡単にするために、本明細書でそれぞれ提供される方法を一連の行為として図示し説明するが、いくつかの行為は、１つまたは複数の態様によれば、本明細書で図示し説明する順序とは異なる順序で、および／または他の行為と同時に行われるので、様々な方法は行為の順序によって限定されないことを理解し、諒解されたい。たとえば、方法は、状態図など、一連の相互に関係する状態またはイベントとして代替的に表現され得ることを、当業者は理解し、諒解するであろう。さらに、１つまたは複数の態様による方法を実装するために、図示のすべての行為が必要とされるわけではない。
【００２４】
次に図面を参照すると、図１は、ワイヤレス通信システムにおけるリソース許可構成および処理を可能にするシステム１００を示す。図１に示すように、システム１００は、（本明細書では、ノードＢ、セルまたはネットワークセル、ネットワークノード、アクセスポイント（ＡＰ）、基地局などとも呼ぶ）１つまたは複数の進化型ノードＢ（ｅＮＢ）１２０、および／またはシステム１００中の１つまたは複数の他のエンティティと通信することができる、（本明細書では、モバイルデバイスまたは局、端末、アクセス端末（ＡＴ）などとも呼ぶ）１つまたは複数のユーザ機器ユニット（ＵＥ）１１０を含むことができる。一態様によれば、ＵＥ１１０は、ｅＮＢ１２０との１つまたは複数のアップリンク（ＵＬ、本明細書では逆方向リンク（ＲＬ）とも呼ぶ）通信に関与することができ、同様に、ｅＮＢ１２０は、ＵＥ１１０への１つまたは複数のダウンリンク（ＤＬ、本明細書では順方向リンク（ＦＬ）とも呼ぶ）通信に関与することができる。一例では、ＵＥ１１０およびｅＮＢ１２０は、互いの間の通信、および／またはシステム１００内の他の好適なエンティティの間の通信を可能にするために、１つまたは複数のアンテナ（図示せず）を採用することができる。
【００２５】
一態様によれば、ｅＮＢ１２０からの許可および／または他の好適な制御シグナリングを介して、システム１００内で情報を送信および／または受信するためにＵＥ１１０によって利用され得るリソース（たとえば、周波数的にはキャリア、サブキャリア、サブバンドなど、時間的にはサブフレームおよび／または他の間隔、符号割振りなど）をＵＥ１１０に割り当てることができる。一例では、ｅＮＢ１２０は、許可生成モジュール１２２および／または他の手段によって、ＵＥ１１０ならびに／あるいは１つまたは複数の他のデバイスへの送信のための１つまたは複数の許可メッセージを生成することができる。別の例では、ｅＮＢ１２０によって所与のＵＥ１１０に複数の許可を配信することができる。たとえば、ｅＮＢ１２０は、ＵＥ１１０に対するＵＬ許可およびＤＬ許可、（たとえば、マルチキャリアシステム中の）それぞれのキャリアに対応する複数のＵＬおよび／またはＤＬ許可などを与えることができる。別の例では、（たとえば、ページング、システム情報更新などのための）ブロードキャストシグナリングと（たとえば、ＵＥ固有データまたは制御情報のための）ユニキャストシグナリングとに別々の許可を与えることができる。
【００２６】
一例では、ｅＮＢ１２０によって通信される許可は様々な構成を利用することができる。たとえば、ｅＮＢ１２０は、それぞれのリソース要素（ＲＥ）および／または他の（１つまたは複数の）リソースグルーピング、（たとえば、ビーム、仮想アンテナなどに対応する）それぞれのアンテナまたはアンテナの組合せ、（たとえば、マルチキャリアシステム中の）それぞれのキャリアなどを介して、それぞれのＵＥ１１０に対する許可を送信することができる。したがって、ｅＮＢ１２０から１つまたは複数の許可を正しく受信するために、ＵＥ１１０は、ブラインド復号、複数仮説復号（multiple-hypothesis decoding）、ならびに／あるいは、ＵＥ１１０を対象とする１つまたは複数の有効な許可を取得するために候補許可のセットを分析するための他の好適な技法を利用することができる。したがって、システム１００に示すように、ＵＥ１１０は、候補許可のセットを受信するかまたは場合によっては取得するために、ｅＮＢ１２０に関連する制御チャネルまたは他の手段（たとえば、物理ダウンリンク制御チャネル（ＰＤＣＣＨ）、物理ブロードキャストチャネル（ＰＢＣＨ）など）に対応する複数の巡回冗長検査（ＣＲＣ）パスを行うために、候補許可識別モジュール１１２および／または他の好適な手段を利用することができる。
【００２７】
一態様によれば、制御チャネルのブラインド復号が複数のＣＲＣパスおよび／または他の仮説を生成する場合、ＵＥ１１０は、正しい仮説が選択されるように、ブラインド復号の結果をプルーニングすることができる。たとえば、ＰＤＣＣＨの場合、ブラインド復号は、それぞれのサブフレーム上でテストすべき４４個の異なる復号仮説を生じ得る。さらに、そのような仮説の各々について、複数の無線ネットワーク一時識別子（ＲＮＴＩ）マスキングおよび／または他の動作が潜在的に適用され得ることが諒解できよう。したがって、正しい復号仮説を確認する際に実行される必要がある多数の対応するＣＲＣ計算はフォールスアラームイベントの数を著しく増加させ得、これは、データ送信および／または他のＵＥ／ｅＮＢプロシージャに悪影響を及ぼし得る。たとえば、許可復号の場合、いくつかの復号仮説は、無効な許可（たとえば、雑音および／または無関係なシグナリング）、復号を実行するデバイスとは異なるデバイスを対象とする許可、および／または他の間違った仮説に対応し得る。したがって、間違った仮説が、ＵＥ１１０が利用すべきリソース許可として選択され、適用された場合、ＵＥ１１０は、場合によっては、ｅＮＢ１２０および／またはシステム１００中の他のエンティティにとって予期しない方法でシステム１００内で通信し得、それにより、システム１００中の他のエンティティへの過大な干渉、ＵＥ１１０の通信効率および／またはシステム１００の全体的なスループットの全体的な低減、ならびに／あるいは他の否定的な結果を生じ得る。
【００２８】
別の態様によれば、ＵＥ１１０は、本明細書で説明するブラインド復号結果および／または仮説をプルーニングするための１つまたは複数の技法を実装することによって、上記で説明した許可復号プロセスにおけるフォールスアラームの影響を緩和することができる。本明細書で説明する様々な態様を利用することによって、所与の制御チャネル（たとえば、ＰＤＣＣＨ、ＰＢＣＨなど）の復号に関連するフォールスアラーム確率を実質的に可能な最低レベルに低減することができることが諒解できよう。
【００２９】
上記および関係する目的を促進するために、ＵＥ１１０は、（たとえば、ｅＮＢ１２０、および／またはシステム１００中の他の好適なエンティティから）候補許可のセットを受信することができる候補許可識別モジュール１１２を含むことができる。一例では、候補許可識別モジュール１１２は、物理ダウンリンク共有チャネル（ＰＤＳＣＨ）またはリレーＰＤＳＣＨ（Ｒ−ＰＤＳＣＨ）および／または任意の他の好適な制御チャネルのためのリソース割振り情報を搬送する制御チャネルなど、関連する制御チャネルに関してブラインド復号を実行することによって、少なくとも部分的に候補許可のセットを受信することができる。本明細書で説明するように処理され得る制御チャネルの例には、ＰＤＣＣＨ、ＰＢＣＨなどがある。ブラインド復号を実行した後、候補許可識別モジュール１１２は、ブラインド復号に基づいて候補許可のセットを識別することができる。さらに、ＵＥ１１０は、少なくとも１つの基準に基づいて、無効であると見なされたそれぞれの受信された候補許可を廃棄し、それにより、０個以上の残りの候補許可を生じることができる、許可廃棄モジュールを含むことができる。それぞれの候補許可を廃棄するために許可廃棄モジュール１１４によって利用され得る様々な基準について、本明細書でさらに詳細に説明する。さらに、ＵＥ１１０は、許可廃棄モジュール１１４によって処理された０個以上の残りの候補許可の中から０個以上の候補許可を選択することができる許可選択モジュール１１６を含むことができる。
【００３０】
したがって、モジュール１１２〜１１６を利用することによって、ＵＥ１１０は、ｅＮＢ１２０、および／またはシステム１００内の別の好適なエンティティから、低減されたフォールスアラーム確率をもつ１つまたは複数の許可を受信することができることが諒解できよう。たとえば、候補許可識別モジュール１１２は、様々なペイロードサイズ、探索空間、ならびに／あるいは、ＵＥ１１０に許可を与えるためにｅＮＢ１２０、および／またはシステム１００中の他の好適なエンティティによって利用され得る他の構成に対応し得る、関係する制御チャネル上でブラインド復号するための候補を選択するために利用され得る。候補許可識別モジュール１１２によって識別されたブラインド復号候補に基づいて、許可廃棄モジュール１１４は、次いで、候補の妥当性に基づいてブラインド復号候補を制限するために利用され得る。一例では、それぞれのブラインド復号候補の妥当性は、ＣＲＣマスクならびにＲＮＴＩ値制約の適用、パラメータ妥当性検査、および／または他の好適なプロシージャによって判断され得る。許可廃棄モジュール１１４によって利用され得る様々なプロシージャの例について、本明細書で説明する。無効であると見なされた許可を廃棄した後に、許可選択モジュール１１６は、許可廃棄モジュール１１４による廃棄の後の、複数の残りの許可の中からＵＥ１１０を対象とする許可を判断するために、様々なファクタに基づいて、それぞれの残りの許可を分析することができる。様々な例では、許可選択モジュール１１６は、様々なファクタに基づいて、（たとえば、それぞれのキャリア、ＵＬおよび／またはＤＬ動作などに対応する）単一の許可または複数の許可を選択することができる。
【００３１】
様々な態様による、許可廃棄モジュール１１４および許可選択モジュール１１６が動作し得るそれぞれの技法を本明細書で提供する。ただし、許可廃棄モジュール１１４および／または許可選択モジュール１１６は、すべての場合に利用される必要はないことを諒解されたい。たとえば、ＵＥ１１０は、場合によっては、許可廃棄モジュール１１４を実質的に使用することなしに許可選択モジュール１１６によって許容できる許可処理を実行し得、または許可選択モジュール１１６を実質的に使用することなしに許可廃棄モジュール１１４によって許容できる許可処理を実行し得る。
【００３２】
一態様によれば、許可廃棄モジュール１１４と許可選択モジュール１１６とは、様々な方法で、ｅＮＢ１２０によって与えられる候補許可を処理するために協働することができる。たとえば、許可廃棄モジュール１１４は、ＵＥ１１０に関連する動作モードに基づいて、関連する制御チャネル（たとえば、ＰＤＣＣＨ）を復号する際に適用されるＲＮＴＩ値を制約するために利用され得る。さらに、許可廃棄モジュール１１４は、無効なコンテンツをもつ仮説をフィルタ除去するために、復号された候補許可ペイロードに対してサニティチェックを実行することができる。追加または代替として、許可選択モジュール１１６は、フォールスアラームレートを最小限に抑えるために、１つまたは複数の最も可能性の高い候補許可を選択するために利用され得る。上記の態様の各々が利用され得る様々な例を、本明細書でさらに詳細に与える。ただし、上記の行為のすべてがすべての場合に実行される必要はないことと、本明細書で与える態様の様々な実施形態は、本明細書で与える１つまたは複数の態様の任意の好適な組合せを利用することができることとを諒解されたい。さらに、別段に明記されていない限り、請求する主題は、特定の実装形態またはその組合せに限定されるものではないことを諒解されたい。
【００３３】
以下の説明では、ＰＤＣＣＨ許可復号の特定の非限定的な例に関する様々な例について説明する。ただし、本明細書で与える態様の一部または全部を使用して、任意の好適な制御チャネルを分析し、処理することができることを諒解されたい。たとえば、本明細書で説明する様々な態様は、ＰＢＣＨおよび／または任意の他の好適な（１つまたは複数の）チャネルに適用され得る。たとえば、本明細書の様々な技法は、ＵＥ１１０によって実行され得る収集プロシージャおよび／または他の好適なプロシージャのコンテキストにおいて利用され得、ＵＥ１１０は、同期系列（たとえば、１次同期系列（ＰＳＳ）、２次同期系列（ＳＳＳ）など）と、関連するＰＢＣＨとを復号する必要がある。そのようなシナリオでは、ＵＥ１１０は、たとえば、ＰＢＣＨを搬送するために利用されるアンテナ、ＰＢＣＨのために利用される無線フレームなどに基づいて、ＰＢＣＨのブラインド復号を実行することができることが諒解できよう。たとえば、３つのアンテナのうちの１つを使用する４つの無線フレームにわたる反復ＰＢＣＨ送信の場合、所与の無線フレームにおいて（たとえば、ＰＢＣＨ送信の開始のための４つの候補無線フレーム×３つの候補アンテナに対応する）１２個のブラインド復号が行われ得る。さらに、収集はハンドオーバのコンテキストにおいて実行され得るので、ＵＥ１１０が比較的短い時間量内で複数のハンドオーバ動作を実行する必要がある場合、上記のブラインド復号動作におけるフォールスアラームの確率が著しく増加し得ることが諒解できよう。
【００３４】
したがって、ＰＢＣＨ収集に関連するフォールスアラーム確率を低減するために、許可廃棄モジュール１１４は、無効な候補を識別し、プルーニングするために、（たとえば、候補許可識別モジュール１１２によって与えられる）ブラインド復号候補を監視することができる。たとえば、ＰＢＣＨ送信が１つまたは複数のサポートされていないパラメータを有する情報フィールドを搬送する場合、許可廃棄モジュール１１４は、前記パラメータのサポートされていない値を有する候補を廃棄することができる。具体的な例として、ＰＢＣＨが（たとえば、８つの可能な構成を有する）３ビット帯域幅フィールドを利用し、限られた数（たとえば、５つ）の潜在的なフィールド構成のみがサポートされる場合、許可廃棄モジュール１１４は、サポートされていないフィールド構成を監視し、そのような構成を有するそれぞれのＰＢＣＨ候補を廃棄することができる。
【００３５】
図２および以降の図および関係する説明に移り、許可廃棄モジュール１１４および／または許可選択モジュール１１６が動作し得る様々な例について、さらに詳細に説明する。特に図２を参照すると、様々な態様による、ＲＮＴＩパラメータに基づいてブラインド復号結果の妥当性を評価するためのシステム２００のブロック図が示されている。図２に示すように、システム２００は、候補許可２１２に関連するＲＮＴＩ値に基づいて、無効であると見なされたそれぞれの候補許可２１２を廃棄するために、候補許可２１２のセットを処理することができる許可廃棄モジュール１１４を含むことができる。たとえば、許可廃棄モジュール１１４は、動作モード識別子２２２、および／または関連する動作モードを識別するための他の手段を活用することができる。追加または代替として、許可廃棄モジュール１１４は、（たとえば、１つまたは複数のＲＮＴＩ定義２１４に基づいて）動作モード識別子２２２によって識別される、関連する動作モードに対応する有効なＲＮＴＩ値のセットを構築することができる。そのようなパラメータに基づいて、許可廃棄モジュール１１４は、有効なＲＮＴＩ値のセット中に含まれないＲＮＴＩ値を有すると判断されたそれぞれの候補許可２１２を廃棄するために、ＲＮＴＩ妥当性検査モジュール２２４および／または他の好適な機構を利用することができる。
【００３６】
具体的な例として、システム２００に示す許可廃棄モジュール１１４は、動作モードに基づいて、ＰＤＣＣＨ復号候補および／または他の制御候補に関連するＲＮＴＩ値に関する制約を適用するために利用され得る。したがって、所与のＵＥが、その割り当てられた（１つまたは複数の）送信モードに基づいて、所与の時間に可能なフォーマットのサブセットのみを監視する必要があるように、関連するｅＮＢによって半静的に構成された異なるＵＥに対して、異なる送信モードが割り当てられ得る。さらに、ＲＮＴＩ妥当性検査モジュール２２４は、共通のＲＮＴＩ値、および／または特定の時間にのみ監視すべきＲＮＴＩ値（たとえば、システム情報、ページングなどに関連するＲＮＴＩ）に基づいて、制御復号候補に適用されるＲＮＴＩの妥当性に関係する決定を行うことができる。したがって、許可廃棄モジュール１１４および／または関連するデバイスによって予想されるトラフィックタイプに基づいて、候補許可２１２は、予想されるトラフィックタイプに関係するであろう結果のみにプルーニングされ得、それにより、他のトラフィックタイプに関連するＲＮＴＩに関連するフォールスアラームが低減し得る。
【００３７】
ＰＤＣＣＨの具体的な例では、１０個の異なるダウンリンク制御情報（ＤＣＩ）フォーマット、すなわち、フォーマット０、１、１Ａ、１Ｂ、１Ｃ、１Ｄ、２、２Ａ、３および３Ａが利用され得る。これらのフォーマットのうち、共通探索空間は、ＤＣＩフォーマット０、１Ａ、３、３Ａ、および／または１Ｃを搬送することができ、ＤＣＩフォーマット０、１、１Ａ、１Ｂ、１Ｄ、２および／または２Ａは、ＵＥ固有探索空間にわたって与えられ得る。
【００３８】
ｅＮＢにおいて、各ＤＣＩフォーマットのＰＤＣＣＨペイロードから生成される１６ビットＣＲＣは、たとえば、以下の表１に示すように、関連するＲＮＴＩ値のうちの１つによってマスキングされ得ることが諒解できよう。
【表１】
2015092674.tif 000003
【００３９】
対応するＵＥ（たとえば、システム２００を実装するＵＥ）において、復号されたＰＤＣＣＨペイロードのＣＲＣを検査する前に、たとえば、上記の表１で定義されているＲＮＴＩ値を使用することによってＣＲＣデマスキング（de-masking）が実行され得る。たとえば、共通探索空間中のＤＣＩフォーマット１Ａは、場合によっては、各々が、それぞれ、Ｃ−ＲＮＴＩ、ＲＡ−ＲＮＴＩ、ＳＩ−ＲＮＴＩ、およびＰ−ＲＮＴＩをデマスキング値として使用する４つの異なるＣＲＣ計算を必要とし得る。したがって、１６ビットＣＲＣの場合、そのようなシナリオにおいてペイロードが間違っているときにＣＲＣパスを誤って宣言する確率は、約１／２16≒１．５×１０-5である。さらに、適用されるＲＮＴＩ値（たとえば、ＣＲＣ計算）の数が増加するにつれて、フォールスアラームイベントの発生が増加し得、これは、ＵＥ／ｅＮＢプロシージャ、および／またはネットワークパフォーマンスの他の態様にとって有害であり得ることが諒解できよう。
【００４０】
したがって、上記のフォールスアラームイベントの影響を緩和するために、許可廃棄モジュール１１４、およびその構成要素モジュール２２２〜２２４は、様々な条件に基づいてＲＮＴＩ値を制約するために利用され得る。具体的な例として、そのような制約は、複数の関連するＲＮＴＩ値をもつ共通探索空間中のＰＤＣＣＨ、および／または任意の他の好適な使用事例にとって有益であり得る。
【００４１】
一態様によれば、ＵＥ、および／またはシステム２００に関連する他のデバイスは、図３中の方法３００によって示すように、許可廃棄モジュール１１４および／または他の好適な機構によってそれぞれのＲＮＴＩを監視するように構成され得る。ただし、方法３００は、システム２００内で実行され得る監視の一例として与えたものにすぎず、本明細書で概して説明するように、任意の好適な監視が実行され得ることを諒解されたい。図３に示すように、ブロック３０２において、接続動作モードを識別することに応答して、ブロック３０４において、接続ＲＮＴＩ（Ｃ−ＲＮＴＩ）値を有効なＲＮＴＩ値のセットに追加し、方法３００内の後続のブロックに示すように、要求に応じて１つまたは複数のさらなるＲＮＴＩ値を構成する。たとえば、たとえばブロック３０６において、関連するＵＥおよび／または他のデバイスが監視しようとするページングオケージョンを識別することに応答して、ブロック３０８において、ページングＲＮＴＩ（Ｐ−ＲＮＴＩ）値を有効なＲＮＴＩ値のセットに追加する。
【００４２】
別の例では、たとえばブロック３１０において、システム情報を監視または受信すべき時間間隔を識別することに応答して、ブロック３１２において、システム情報ＲＮＴＩ（ＳＩ−ＲＮＴＩ）値を有効なＲＮＴＩ値のセットに追加する。一例では、ＵＥ、ならびに／あるいは、システム２００を利用し、および／または場合によっては方法３００を実行する他のエンティティは、ページングメッセージ、前のシステム情報の満了、および／または任意の他の（１つまたは複数の）好適なトリガイベントを通して検出されたシステム情報変化により、ＵＥおよび／または他の好適なエンティティがＳＩ−ＲＮＴＩを監視する必要がある場合、ブロック３１２に示すようにＳＩ−ＲＮＴＩの監視を可能にする。追加または代替として、所与のサブフレーム、および／またはシステム情報ブロック（ＳＩＢ）が潜在的に発生し得る他の時間間隔においてのみ、ブロック３１２に示すように、ＳＩ−ＲＮＴＩ値を有効なＲＮＴＩ値のセットに追加する。したがって、たとえば、たとえばＳＩＢ１復号の場合、システムフレーム番号（ＳＦＮ）ｍｏｄ２＝０である、無線フレーム内の所与のサブフレーム（たとえば、第５のサブフレーム）において、ブロック３１２に示すようにＳＩ−ＲＮＴＩを有効にする。ＳＩＢ１の復号の後、続いて、ＵＥおよび／または他の関連するエンティティが後続のシステム情報（たとえば、ＳＩＢ２、ＳＩＢ３など）を収集すべきシステム情報ウィンドウにおいてＳＩ−ＲＮＴＩを有効にする。
【００４３】
方法３００によって示されるさらなる一例では、たとえばブロック３１４において、ランダムアクセス手順（たとえば、ランダムアクセスチャネル（ＲＡＣＨ）プロシージャ）を識別することに応答して、ブロック３１６において、ランダムアクセスＲＮＴＩ（ＲＡ−ＲＮＴＩ）値を有効なＲＮＴＩ値のセットに追加する。方法３００によってさらに示すように、送信電力制御（ＴＰＣ）に対応する１つまたは複数のＲＮＴＩ値の監視に適応することができる。たとえば、たとえばブロック３１８において、関連するダウンリンク構成を識別することに応答して、ブロック３２０に示すように、物理アップリンク制御チャネル（ＰＵＣＣＨ）ＲＮＴＩのためのＴＰＣ（ＴＰＣ−ＰＵＣＣＨ−ＲＮＴＩ）値を有効なＲＮＴＩ値のセットに追加する。追加または代替として、たとえばブロック３２２において、関連するアップリンク構成を識別することに応答して、ブロック３２４に示すように、物理アップリンク共有チャネル（ＰＵＳＣＨ）ＲＮＴＩのためのＴＰＣ（ＴＰＣ−ＰＵＳＣＨ−ＲＮＴＩ）値を有効なＲＮＴＩ値のセットに追加する。
【００４４】
したがって、上記で概して説明し、図２〜図３によって示したように、許可廃棄モジュール１１４は、候補許可２１２に関連するＲＮＴＩ構成に少なくとも部分的に基づいて、無効であると見なされた１つまたは複数の候補許可２１２を廃棄することができることが諒解できよう。１つの特定の非限定的な例では、上記で説明したように制約が適用された後に、異なるＲＮＴＩをもつ複数の候補許可２１２がＣＲＣをパスした場合、本明細書で説明する１つまたは複数のさらなるプロシージャが利用され得る。追加または代替として、以下の説明において与えるそれぞれのプロシージャは、上記のプロシージャおよび／または他のプロシージャとは無関係に適用され得る。
【００４５】
次に図４を参照すると、様々な態様による、デバイス能力および／または構成要素パラメータ妥当性に基づいてブラインド復号結果の妥当性を評価するためのシステム４００のブロック図が示されている。図４に示すように、システム４００は、それぞれの候補許可２１２のペイロードに関する妥当性検査に基づいて、無効であると見なされたそれぞれの候補許可２１２を廃棄するために、候補許可２１２のセットに関して動作することができる許可廃棄モジュール１１４を含むことができる。
【００４６】
一態様によれば、システム４００に示す許可廃棄モジュールは、候補許可２１２のそれぞれの異なるペイロード上でサニティチェックまたは妥当性検査を適用することによって、それぞれの候補許可２１２をプルーニングすることができる。たとえば、許可廃棄モジュール１１４は、（たとえば、許可ペイロード妥当性検査モジュール４２４によって）１つまたは複数の基準に従って、妥当性についてそれぞれの候補許可２１２のペイロードを検査し、前記検査に基づいて無効なペイロードを有することがわかったそれぞれの候補許可２１２を廃棄することができる。したがって、本明細書で定義する様々なルールおよび／または他の好適な基準に基づいて、間違ったペイロードをもつ候補許可２１２はフィルタ除去され得る。一例では、復号されたペイロードが壊れているか否かを判断するプロセスを改善するために、それぞれの候補許可２１２内で与えられるゼロパディングビットも利用され得る。一例では、許可廃棄モジュール１１４によって適用されるそれぞれの妥当性検査ルールを満たす候補許可２１２のみが、さらなる処理に進み得る。
【００４７】
一例では、システム４００中の許可廃棄モジュール１１４によって実行される妥当性検査は、関連するＵＥおよび／または他のネットワークエンティティの能力制約に基づき得る。したがって、たとえば、許可廃棄モジュール１１４は、関連するデバイス能力（たとえば、デバイス能力パラメータ４１２）のセットを識別し、（たとえば、デバイス能力検査モジュール４２２などによって判断された）関連するデバイス能力のセットの外の１つまたは複数のパラメータを示すペイロードを有するそれぞれの候補許可を廃棄することができる。別の例では、デバイス能力パラメータ４１２は、各々がそれぞれのＵＥ能力に関連し得る１つまたは複数の異なるＵＥカテゴリーに対応することができる。したがって、関連するＵＥ、および／またはシステム４００に関連する他のデバイスのカテゴリーに基づいて、対応するＵＥカテゴリーに関連する能力の外にあるフォーマット、リソース割振りタイプ、リソース割振り、および／または他のパラメータを示すそれぞれの候補許可２１２が廃棄され得る。
【００４８】
一態様による、ＵＥ能力に基づいて候補許可２１２に関して妥当性検査を実行する際に、許可廃棄モジュール１１４および／またはデバイス能力チェックモジュール４２２によって活用され得る様々な考慮事項を図５中の方法５００によって示す。方法５００に示すように、候補許可２１２の処理は、ブロック５０２によって示すように、候補許可２１２がＤＬ許可であるかＵＬ許可であるかに基づいて異なり得る。候補許可２１２がＤＬ許可である場合、候補許可２１２は、ブロック５０４〜５０８によって示される条件のうちの１つまたは複数について検査され得る。候補許可２１２がブロック５０４〜５０８によって示される条件のいずれかを満たさない場合、候補許可２１２は、ブロック５１２に示すように廃棄され得る。他の場合、候補許可２１２は、ブロック５１０に示すようにさらなる処理に進み得る。
【００４９】
さらに詳細には、ブロック５０４において、適切なＤＣＩフォーマットについてＤＬ許可を検査する。一例では、１つまたは複数のフォーマット（たとえば、フォーマット１Ｃなど）は関連するデバイスによってサポートされていないことがあり、サポートされていないフォーマットであることがわかったＤＬ許可は廃棄され得る。さらに、ブロック５０６において、サポートされたリソース割振りタイプについてＤＬ許可を検査する。一例では、１つまたは複数のリソース割振りタイプ（たとえば、リソース割振りタイプ１など）は、関連するデバイスによってサポートされていないことがあり、サポートされていないリソース割振りタイプを利用することがわかったＤＬ許可は廃棄され得る。さらに、様々なＤＣＩフォーマット（たとえば、１、２、２Ａなど）は、準拠しないリソース割振りヘッダを有するＤＬ許可が廃棄され得るように、所与のリソース割振りヘッダ（たとえば、０）を必要とし得る。追加の例では、ブロック５０８において、サポートされた分散割振りタイプについてＤＬ許可を検査する。一例では、１つまたは複数の分散割振りタイプ（たとえば、分散割振りタイプ２など）は、関連するデバイスによってサポートされていないことがあり、サポートされていない分散割振りタイプを利用することがわかったＤＬ許可は廃棄され得る。さらに、様々なＤＣＩフォーマット（たとえば、１Ａなど）は、準拠しないフラグ値を有するＤＬ許可が廃棄され得るように、所与の局在／分散仮想リソースブロック（ＶＲＢ）フラグ値（たとえば、０）を必要とし得る。
【００５０】
代替的に、候補許可２１２がＵＬ許可である場合、候補許可２１２は、ブロック５１４〜５１６によって示される条件のうちの１つまたは複数について検査され得る。候補許可２１２がブロック５１４〜５１６によって示される条件のいずれかを満たさない場合、候補許可２１２は、ブロック５１２に示すように廃棄され得る。他の場合、候補許可２１２は、ブロック５１８に示すようにさらなる処理に進み得る。さらに詳細には、ブロック５１４において、サポートされたホッピングフラグについてＵＬ許可を検査する。たとえば、場合によっては（たとえば、ＤＣＩフォーマット０に対応するなど）、ホッピングがサポートされていないことがあり、したがって、ホッピングがサポートされることを示すフラグ（たとえば、ホッピングフラグ＝１など）を含むことがわかったＵＬ許可は、無効として廃棄され得る。別の例では、ブロック５１６において、サポートされたチャネル品質インジケータ（ＣＱＩ）要求ビットおよび／またはフラグ値についてＵＬ許可を検査する。たとえば、システム４００および／または方法５００に関連するＵＥは、ＣＱＩ報告を送るように構成されていないが、ＵＬ許可に関連するＣＱＩ要求ビットが、「１」に設定され、および／または場合によっては、要求されたＣＱＩ報告を示す場合、ＵＬ許可は、無効として廃棄され得る。
【００５１】
上記で説明した、図５に示すＵＥ能力ベースの妥当性検査に加えて、システム４００中の許可廃棄モジュール１１４は、許可ペイロード妥当性検査モジュール４２４および／または他の好適な手段によって、それぞれの候補許可２１２のペイロードに対してそれぞれの一般的妥当性検査をさらに実行することができる。たとえば、許可廃棄モジュール１１４は、無効なリソースブロックサイズ、無効な変調もしくは符号化方式、無効なプリコーディング情報、または無効な帯域幅構成値のうちの少なくとも１つを示すペイロードを有するそれぞれの候補許可２１２を廃棄するように構成され得る。別の例では、許可廃棄モジュール１１４は、システム４００を利用するデバイスに関連するリソース範囲を識別し、関連するリソース範囲の外のリソースを示すペイロードを有するそれぞれの候補許可２１２を廃棄するように構成され得る。第３の例では、許可廃棄モジュール１１４は、許可内のそれぞれのフィラービット（たとえば、ゼロパディングビット、予約済みフィールドに対応するビットなど）のための利用されるべき予想パターンを識別し、予想パターンに一致しない少なくとも１つのフィラービットを備えるペイロードを有するそれぞれの候補許可を廃棄するように構成され得る。第４の例では、システム４００に関連するデバイスが半永続的スケジューリング（ＳＰＳ）動作モードを利用する場合、許可廃棄モジュール１１４は、ＳＰＳ動作モードを識別することに応答して、送信ダイバーシティをシグナリングするには無効であるペイロードを有するそれぞれの候補許可２１２を廃棄するように構成され得る。
【００５２】
上記および／または他の好適なルールが候補許可２１２に適用され得る様々な方法について、それぞれ図６〜図８中の方法６００〜８００に関して本明細書でさらに詳細に説明する。最初に図６中の方法６００を参照すると、ＤＣＩフォーマット０を利用する候補許可２１２（たとえば、ＵＬ許可など）の許可ペイロードに対して妥当性検査を実行するための方法６００が示されている。方法６００によって示すように、ＤＣＩフォーマット０を利用する候補許可２１２は、ブロック６０２〜６０４によって示される条件のうちの１つまたは複数について検査され得る。候補許可２１２がブロック６０２〜６０４によって示される条件のいずれかを満たさない場合、候補許可２１２は、ブロック６０８に示すように廃棄され得る。他の場合、候補許可２１２は、ブロック６０６に示すようにさらなる処理に進み得る。
【００５３】
ブロック６０２に示すように、離散フーリエ変換（ＤＦＴ）サイズ制約検査および／または他の好適な動作を実行し、関連する候補許可２１２が、準拠するリソースブロック（ＲＢ）サイズを有するかどうかを判断する。一例では、候補許可２１２によって示されるＲＢサイズが所与の式（たとえば、非負整数ｘ１、ｘ２、およびｘ３の場合、２x1×３x2×５x3など）に準拠しない場合に、許可が無効として廃棄され得るように、ＲＢサイズは、その式に準拠する必要があり得る。さらに、ブロック６０４に示すように、許可によって示されるリソース割当てがサポートされた範囲内に入ることを保証するために、候補許可２１２内のリソース割当てビットおよび／または他のインジケータを検査する。具体的な例として、１０ＭＨｚシステムの場合、５０個のＲＢ（および／または任意の他の好適な数のＲＢ）が利用され得る。したがって、許可によって示されるＲＢの数（たとえば、ＮｕｍＲＢ）は、５０以下の値に制約され得、許可によって示される開始ＲＢインデックス（たとえば、ＳｔａｒｔＲＢ）は、たとえば、ＳｔａｒｔＲＢインデックス＋ＮｕｍＲＢ≦５０であるように、割り当てられたＲＢが５０個を超えないことを保証するように制約され得る。一例では、ＲＢは、第１の終端から第２の終端にラップアラウンドしないように構成され得、したがって、ＲＢ割振りが、与えられたＲＢの最大数を超える場合、対応する許可は、無効として廃棄され得る。
【００５４】
次に図７中の方法７００を参照すると、ＤＣＩフォーマット１Ａを利用する候補許可２１２の許可ペイロードに対して妥当性検査を実行するための例示的な方法７００が示されている。方法７００によって示すように、ＤＣＩフォーマット１Ａを利用する候補許可２１２についての妥当性検査は、候補許可２１２に適用されるＲＮＴＩ逆スクランブルに応じて異なり得る。したがって、たとえば、候補許可２１２がＲＡ−ＲＮＴＩ、Ｐ−ＲＮＴＩ、ＳＩ−ＲＮＴＩなどのＲＮＴＩ値に関連する場合、候補許可２１２は、ブロック７０８に示すようにさらなる処理に進み得るか、またはブロック７０４〜７０６に示す条件に従って、ブロック７１０に示すように廃棄され得る。代替的に、候補許可２１２がＣ−ＲＮＴＩなどのＲＮＴＩ値に関連する場合、候補許可２１２は、ブロック７１４に示すようにさらなる処理に進み得るか、または、ブロック７１２に示すように、候補許可２１２に関連するリソース割当てが有効範囲内にあるかどうかの判断に従って、ブロック７１０に示すように廃棄され得る。一態様によれば、ブロック７１２において実行される妥当性検査は、方法６００中のブロック６０４における上記で説明した妥当性検査と同様の方法で行われ得る。
【００５５】
ブロック７０４に示すように、許可によって示されるリソース割当てがサポートされた範囲内に入ることを保証するために、候補許可２１２内のリソース割当てビットおよび／または他のインジケータを検査する。一例では、ブロック７０４において実行される判断において利用されるサポートされたリソース範囲は、上記で概して説明したように、１０ＭＨｚ／５０ＲＢシステムに基づき得る。たとえば、ブロック７０４において行われる判断に関連するＮｕｍＲＢパラメータは、たとえば、ＮｕｍＲＢが、いくつかのインジケータ（たとえば、ＬＳＢ＝０）の場合は２に制約され、および／または他のインジケータ（たとえば、ＬＳＢ＝１）の場合は３に制約されるように、最下位ビット（ＬＳＢ）に依存し得、ならびに／あるいは、ＰＵＣＣＨおよび／または他の好適な制御チャネルのためのＴＰＣコマンドに関連する他のインジケータに依存し得る。さらに、ＳｔａｒｔＲＢインデックスは、上記で概して説明したように、ＲＢ割振りが範囲外に出ないことを保証するように制約され得る。さらに、ブロック７０６に示すように、候補許可２１２によって示される変調および符号化方式（ＭＣＳ）パラメータは、サポートされた範囲（たとえば、ＭＣＳ≦９）内に入ることを保証するために検査され得る。
【００５６】
図８中の方法８００を参照すると、候補許可２１２についての妥当性検査のコンテキストにおいて実行され得るそれぞれのさらなる考慮事項が示されている。方法８００によって示すように、検査された条件のうちの少なくとも１つに不合格である候補許可２１２が、ブロック８１２に示すように廃棄され得るように、ブロック８０２〜８０８によって示される１つまたは複数の条件が検査され得る。代替的に、候補許可２１２が、ブロック８０２〜８０８において示す条件に基づいて有効であると判断された場合、候補許可２１２は、ブロック８１０に示すようにさらなる処理に進み得る。
【００５７】
ブロック８０２に示すように、方法８００を実行し、および／または場合によってはシステム４００を使用するエンティティは、候補許可が、あらかじめ定義されたフォーマット（たとえば、ＤＣＩフォーマット２）である場合、および／または場合によってはプリコーディング情報を含んでいるように構成される場合、候補許可が、準拠するプリコーディング情報および／または場合によってはサポートされたプリコーディング情報を含んでいるかどうかを検査する。一例では、プリコーディング情報がサポートされるかどうかは、（たとえば、多入力多出力（ＭＩＭＯ）の場合または非ＭＩＭＯの場合などに対応する）関連するデバイスによって送信のために利用される、送信アンテナ、コードワード、空間レイヤなどの数に依存し得る。たとえば、ただ１つのコードワードが使用可能である場合、プリコーディング情報が値の所定のセット内にあれば（たとえば、プリコーディング情報≦６）、プリコーディング情報は有効と見なされ得る。代替的に、複数のコードワードが使用可能である場合、値の異なる所定のセット（たとえば、プリコーディング情報≦２）が利用され得る。
【００５８】
次に、ブロック８０４に示すように、許可中の１つまたは複数のフィラービットが有効なフィラービットパターンに一致するかどうかを判断するために、候補許可２１２を検査する。たとえば、様々なフォーマットの許可の復号を単純化するために、それぞれの制御メッセージングタイプ間の均一なサイズを保証するために、それらの許可内にパディングビットが与えられ得る。追加または代替として、許可メッセージおよび／または他の好適な制御メッセージ中の１つまたは複数のビットは、将来の使用のために予約されたそれぞれのフィールドに対応することができる。したがって、候補許可内のそのようなビットは、あらかじめ定義されたビットパターン（たとえば、オール０パディングビット、「０」値と「１」値とのあらかじめ定義されたパターンなど）に従っていることを保証するために検査され得、パターンに一致しないフィラービットを有することがわかった許可は廃棄され得る。具体的な例として、それぞれの候補許可２１２は、それらのフォーマットに基づいて、様々な数のゼロパディングビットおよび／または他のパディングビットを有することができる。たとえば、ＤＣＩフォーマット１Ａは、（たとえば、１．４、５、および１０ＭＨｚ帯域幅に対して）１つのパディングビットを利用することができ、ＤＣＩフォーマット０は、１．４、３、５、１０、１５、および２０ＭＨｚの帯域幅に対して、それぞれ２つ、１つ、２つ、２つ、１つ、および１つのパディングビットを利用することができ、ＤＣＩフォーマット２Ａは、（たとえば、１０ＭＨｚ帯域幅に対して）１つのパディングビットを利用することができる。
【００５９】
ブロック８０６に示すように、半永続的スケジューリング（ＳＰＳ）が適用可能である様々なＤＣＩフォーマット（たとえば、ＤＣＩフォーマット２、２Ａなど）の場合、場合によっては、ＳＰＳ  Ｃ−ＲＮＴＩのために送信ダイバーシティのみが使用されるので、許可中で与えられるパターンが、送信ダイバーシティをシグナリングするのに有効であることを保証するために候補許可２１２を検査する。したがって、例として、２コードワード割当てを示す候補許可２１２が受信され、ＳＰＳ動作モードが識別された場合、ＳＰＳはダイバーシティのために単一コードワード割当てを必要とするので、候補許可２１２は、無効として廃棄され得る。
【００６０】
さらに、ブロック８０８に示すように、有効なデータレート指示について候補許可２１２を検査する。したがって、たとえば、候補許可２１２から計算されたデータレートが、方法８００および／またはシステム４００を利用するデバイスのＵＥカテゴリー、ハードウェア能力、および／または他のパラメータによって設定された制限を超える場合、許可は無視され、および／または場合によっては廃棄され得る。具体的な例として、方法８００がカテゴリー２のＵＥに関連し、１５Ｍｂｐｓ以上のデータレートを示す許可が受信された場合、その許可は無効と見なされ得る。
【００６１】
次に図９を参照すると、様々な態様による、リソース許可構成を可能にするシステム９００のブロック図が示されている。図９に示すように、システム９００は、ワイヤレス通信システム中の１つまたは複数のＵＥおよび／または他のデバイスに与えられる許可メッセージングを生成するために、ｅＮＢおよび／または任意の他の好適なエンティティによって利用され得る許可生成モジュール１２２を含むことができる。一態様によれば、許可生成モジュール１２２は、少なくとも部分的に、許可メッセージのペイロード内の１つまたは複数のフィラービットを識別することと、（たとえば、フィラービットパターン９１２に対応する）あらかじめ定義されたパターンおよび／または場合によっては知られているパターンに従って、許可メッセージのペイロード内の１つまたは複数のフィラービットに値を割り当てることとによって、生成された許可を受信するデバイスによる妥当性検査の改善を可能にし、それにより、許可復号に関連するフォールスアラームレートを改善することができる。
【００６２】
一例では、許可フィールド生成器９１４、および／または許可生成モジュール１２２に関連する他の好適な手段は、許可生成モジュール１２２によって生成された許可メッセージング内の１つまたは複数のフィラービットを識別することができる。たとえば、そのようなフィラービットは、パディングビット、許可メッセージのペイロード内の少なくとも１つの予約済みフィールドに対応するビット、ならびに／あるいは許可メッセージ内の任意の他の好適なビットおよび／または他の情報に対応することができる。さらに、許可生成モジュール１２２によって利用されるフィラービットパターン９１２は、オール０パターン、および／または許可生成モジュールによってアプリオリに知られている任意の他の好適なパターン（たとえば、００００１１１１．．．、０１０１０１０１．．．など）とすることができる。一態様によれば、検査エンティティが、パディングビット、予約済みビット、および／または知られているパターンとは異なる他のフィラービットを含んでいる復号された候補許可をフィルタ除去することができるように、フィラービットパターン９１２は、許可生成モジュール１２２と、許可生成モジュール１２２によって生成された許可を（たとえば、ＵＥにおいて）検査することを担当するエンティティとの両方によって知られ得る。多くの場合、許可メッセージングのペイロード内に、いくつかの予約済みビットが与えられるので、本明細書で説明する周知のフィラービットパターン９１２を利用することにより、フォールスアラームレートを実質的に減少させることができることが諒解できよう。
【００６３】
次に図１０を参照すると、様々な態様による、候補リソース許可の処理されたセットから１つまたは複数のリソース許可を選択するためのシステム１０００のブロック図が示されている。一態様によれば、上記で概して説明したように、許可廃棄モジュール１１４による処理の後に複数の候補許可が残っている場合、（たとえば、フォールスアラーム確率をさらに低減するためになど）関係しない結果をさらにプルーニングするために、システム１００に示すように許可選択モジュール１１６が採用され得る。
【００６４】
本明細書で説明する様々な例では、システム１０００中の許可選択モジュール１１６は、０個以上の残りの候補許可に関連するアグリゲーションレベルに基づいて、（たとえば、許可廃棄モジュール１１４によって与えられた）０個以上の残りの候補許可の中から０個以上の候補許可を選択することができる。したがって、たとえば、候補許可の選択は、最も高いアグリゲーションレベルを有する候補許可、最も低いアグリゲーションレベルを有する候補許可、および／または（たとえば、ペイロードコンパレータ１０１２、アグリゲーションレベル分析モジュール１０１４、および／または他の好適な手段によって実行される）任意の他の好適なアグリゲーションレベルに関係する分析に基づき得る。別の例では、（たとえば、ペイロードコンパレータ１０１２、エネルギーメトリック分析モジュール１０１６、および／または他の好適な手段によって判断された）０個以上の残りの候補許可に関連するエネルギーメトリックに基づいて、（たとえば、許可廃棄モジュール１１４によって与えられる）０個以上の残りの候補許可から０個以上の候補許可が選択され得る。ペイロードコンパレータ１０１２、アグリゲーションレベル分析モジュール１０１４、エネルギーメトリック分析モジュール１０１６、および／または、許可選択モジュール１１６に関連する他の好適な機構によって利用され得る技法の具体的な例を本明細書でさらに詳細に与える。
【００６５】
一態様によれば、たとえば、ＲＮＴＩ値が複数のＣＲＣパスについて同じであるように、それぞれの候補許可が同じＲＮＴＩ値を有する場合、許可選択モジュール１１６は、（たとえば、ペイロードコンパレータ１０１２によって識別される）それぞれの候補許可のペイロードサイズとペイロードコンテンツとに基づいて、１つまたは複数のプルーニング動作を実行することができる。そのようなシナリオにおいて許可選択モジュール１１６によって実行され得る様々な動作を、図１１中の方法１１００によってさらに詳細に示す。たとえば、ブロック１１０２に示すように、初めに、それぞれの許可に関連するペイロードを比較する。それぞれの比較された許可が同じペイロードサイズとペイロードコンテンツとを有する場合、許可選択はブロック１１０４に進み得、アグリゲーションレベルに基づいて許可を選択する。一態様によれば、ＰＤＣＣＨを介して与えられるＤＬ許可の場合、ＰＤＣＣＨの開始制御チャネル要素（ＣＣＥ）はＰＵＣＣＨ送信にリンクされ得る。したがって、フォールスアラーム確率を低減し、および／または開始ＣＣＥ位置の正しい検出の可能性を改善するために、最大アグリゲーションサイズをもつ許可が選択され得る。代替的に、許可は、アグリゲーションレベルの任意の好適な機能（たとえば、最も高い、最も低いなど）に基づいて選択され得る。別の態様では、それぞれの許可が同じアグリゲーションレベルを有する場合、許可のうちの１つまたは複数は任意の好適な方法で選択され得る。
【００６６】
別の態様によれば、ブロック１１０２において比較された許可が、同じペイロードサイズと、異なるペイロードコンテンツとを有する場合、ブロック１１０６に示すように、それぞれの許可に関連するフォーマットに基づいて許可選択を実行する。一例では、それぞれの候補許可中に複数のフォーマットが存在する場合、ブロック１１１０において示すように、実質的にすべてのフォーマットの許可を選択する。たとえば、（たとえば、値「０」はＤＣＩフォーマット０を示し、値「１」はＤＣＩフォーマット１Ａを示し、および／または任意の他の好適な方法で、それぞれの許可のペイロード中の第１のビットを検査することによって判断された）ＤＣＩフォーマット０と１Ａの両方の許可が存在する場合、たとえば、ＤＬ許可用に１つとＵＬ許可用に１つの両方の許可が選択され得る。
【００６７】
代替的に、複数の許可が同じフォーマットであるか、またはペイロードサイズがＤＣＩフォーマット０／１Ａ／３／３Ａとは異なる（たとえば、１０ＭＨｚに対して４３ビット）場合、ブロック１１０８に示すように許可選択を実行し、少なくとも２つのオプションに基づいて許可を選択する。第１に、方法１１００またはシステム１０００を利用するデバイスは、許可のセットの中から、そのデバイスに有効である許可を検出するために、エネルギーメトリックを検査し、再符号化を実行し、および／または他の手段を利用することができる。たとえば、許可に対応する情報を再符号化することができ、（たとえば、再符号化された許可に関して畳み込み復号および／または他の手段を利用し、新たに復号されたビットを対応する受信されたビットと相関させることなどによって）再符号化されたビットのエネルギーメトリックを分析することができる。そのような例では、一致する許可は実質的に高いエネルギーメトリックを示し得、一致しない許可は実質的に低いエネルギーメトリックを示し、それにより、より高いエネルギーを示す許可について選択を実行することが可能になることが諒解できよう。第２の例では、上記で概して説明したように、ブロック１１０８において、アグリゲーションレベルに従って許可の選択を実行する。
【００６８】
さらなる態様によれば、ブロック１１０２におけるペイロード比較により、それぞれの許可が異なるペイロードサイズとコンテンツとを有することが明らかになった場合、ブロック１１１０に示すように、実質的にすべての許可を選択する。一例では、許可廃棄モジュール１１４に関して上記で説明したプルーニングルールの一部または全部を利用することによって、ブロック１１１０において選択される許可の数は、あらかじめ定義された数（たとえば、ＰＤＣＣＨの場合、２つの許可など）に制約され得る。たとえば、ブロック１１１０における選択は、前のプルーニングに基づいて、共通探索空間中のＤＣＩフォーマット０を利用する第１の許可と、ＵＥ固有探索空間中のＤＣＩフォーマット１を利用する第２の許可とに制約され得る。したがって、場合によっては、許可選択モジュール１１６が、０個以上の残りの候補許可の中から残りのアップリンク許可または残りのダウンリンク許可のうちの少なくとも１つを選択することができるように、許可選択モジュール１１６および／または他の好適な手段は、（たとえば、許可廃棄モジュール１１４によって実行されるプルーニングからの）０個以上の残りの候補許可を、残りのアップリンク許可と残りのダウンリンク許可とに分けるために利用され得る。
【００６９】
さらに別の態様によれば、許可選択モジュール１１６によって処理されたそれぞれの候補許可が複数のＤＬ許可を含む場合、許可選択モジュール１１６は、図１２中の方法１２００によって示されるように、さらなる選択を実行することができる。初めに、ブロック１２０２に示すように、それぞれの残りの許可が異なるＣＣＥアグリゲーションレベルを有するかどうかに関する判断を行う。異なるＣＣＥアグリゲーションレベルを有する場合、ブロック１２０４に示すように、アグリゲーションレベルに基づいて（たとえば、最も高いアグリゲーションレベル、最も低いアグリゲーションレベルなどに基づいて）許可を選択する。代替的に、方法１２００に示されていないが、上記で概して説明したように、代替的に、エネルギーメトリックおよび／または他の測定値に基づいて許可を選択する。他の場合、ブロック１２０６に示すように、それぞれのプルーニング動作時に、ＤＣＩフォーマット２Ａ、２、または１の許可が（たとえば、Ｃ−ＲＮＴＩをもつ）フォーマット１Ａの許可と共存し、それぞれの許可間のアグリゲーションレベル（または他の選択メトリック）が互角である場合、ブロック１２０８に示すように、ＤＣＩフォーマット１Ａの許可を選択する。さらに、ブロック１２１０に示すように、（たとえば、同じＲＮＴＩをもつ）ＤＣＩフォーマット１Ａの許可と１Ｃの許可とが存在し、許可に関連するアグリゲーションレベルにより許可の選択が生じない場合、（たとえば、ブロック１２１２において判断されるように）ＤＣＩフォーマット１Ｃがサポートされていれば、ブロック１２１４に示すように、そのようなフォーマットの許可を選択する。そうではなく、フォーマット１Ｃがサポートされていない場合、ブロック１２０８に示すようにフォーマット１Ａを選択する。
【００７０】
次に図１３〜図１４を参照すると、本明細書に記載の様々な態様に従って実行され得るそれぞれの方法１３００〜１４００が示されている。上記のように、簡単のために、方法１３００〜１４００を一連の行為として図示し説明するが、いくつかの行為は、１つまたは複数の態様によれば、本明細書で図示し説明する順序とは異なる順序で、および／または他の行為と同時に行われ得るので、方法１３００〜１４００は行為の順序によって限定されないことを理解し、諒解されたい。たとえば、代替的に、状態図におけるように一連の相互に関連する状態またはイベントとして方法１３００〜１４００を表すことができる。さらに、１つまたは複数の態様による方法１３００および／または方法１４００を実装するために、図示のすべての行為が必要とされるわけではない。
【００７１】
図１３を参照すると、ワイヤレス通信システムに関連する候補許可のセットを処理するための方法１３００が示されている。方法１３００は、たとえば、ＵＥ（たとえば、ＵＥ１１０）および／または任意の他の適切なネットワークエンティティによって実行され得ることを諒解されたい。方法１３００はブロック１３０２において開始し、候補許可のセット（たとえば、候補許可２１２）を受信する。ブロック１３０４において、０個以上の残りの候補許可を取得するために、少なくとも１つの基準に基づいて、（たとえば、許可廃棄モジュール１１４を使用して）無効であると見なされたそれぞれの受信された候補許可を廃棄する。ブロック１３０６において、ブロック１３０４において取得された０個以上の残りの候補許可の中から（たとえば、許可選択モジュール１１６によって）０個以上の候補許可を選択する。
【００７２】
図１４に、ワイヤレス通信システム内での通信のための候補許可メッセージを構築するための方法１４００を示す。方法１４００は、たとえば、ｅＮＢ（たとえば、ｅＮＢ１２０）および／または任意の他の適切なネットワークエンティティによって実行され得る。方法１４００はブロック１４０２において開始し、許可メッセージのペイロード内の１つまたは複数のフィラービット（たとえば、パディングビット、予約済みビットなど）を識別する。ブロック１４０４において、あらかじめ定義されたパターン（たとえば、フィラービットパターン９１２）に従って、（たとえば、許可フィールド生成器９１４を使用して）許可メッセージのペイロード内の１つまたは複数のフィラービットに値を割り当てる。
【００７３】
次に図１５〜図１６を参照すると、本明細書で説明する様々な態様を可能にすることができるそれぞれの装置１５００〜１６００が示されている。装置１５００〜１６００は機能ブロックを含むものとして表されており、その機能ブロックは、プロセッサ、ソフトウェア、またはそれらの組合せ（たとえば、ファームウェア）によって実装される機能を表す機能ブロックであり得ることを諒解されたい。
【００７４】
最初に図１５に参照すると、ワイヤレス通信システムにおいて許可プルーニングおよび選択を可能にする装置１５００が示されている。装置１５００は、ＵＥ（たとえば、ＵＥ１１０）および／または任意の他の好適なネットワークエンティティによって実装され得、候補許可のセットを受信するためのモジュール１５０２と、０個以上の残りの候補許可を取得するために、少なくとも１つのファクタに基づいて、無効であると見なされたそれぞれの受信された候補許可を廃棄するためのモジュール１５０４と、０個以上の残りの候補許可の中から０個以上の候補許可を選択するためのモジュール１５０６とを含むことができる。
【００７５】
図１６に、ワイヤレス通信システムにおいて許可生成の送信を可能にする装置１６００を示す。装置１６００は、基地局（たとえば、ｅＮＢ１２０）および／または任意の他の好適なネットワークエンティティによって実装され得、許可メッセージに対応する１つまたは複数のフィラービットを識別するためのモジュール１６０２と、あらかじめ定義されたパターンに従って、許可メッセージに対応する１つまたは複数のフィラービットに値を割り当てるためのモジュール１６０４とを含むことができる。
【００７６】
図１７は、本明細書で説明する機能の様々な態様を実装するために利用され得るシステム１７００のブロック図である。一例では、システム１７００はモバイル端末１７０２を含む。図示のように、モバイル端末１７０２は、１つまたは複数のアンテナ１７０８を介して、１つまたは複数の基地局１７０４から（１つまたは複数の）信号を受信し、１つまたは複数の基地局１７０４にその信号を送信することができる。さらに、モバイル端末１７０２は、（１つまたは複数の）アンテナ１７０８から情報を受信する受信機１７１０を備えることができる。一例では、受信機１７１０は、受信した情報を復調する復調器（Ｄｅｍｏｄ）１７１２に動作可能に結合され得る。次いで、復調されたシンボルは、プロセッサ１７１４によって分析され得る。プロセッサ１７１４は、モバイル端末１７０２に関するデータおよび／またはプログラムコードを記憶することができるメモリ１７１６に結合され得る。一例では、プロセッサ１７１４は、本明細書で例示し、説明する方法、ならびに／あるいは他の同様のおよび適切な方法のうちの１つまたは複数を実行するようにさらに動作可能であり得る。モバイル端末１７０２はまた、送信機１７２０によって（１つまたは複数の）アンテナ１７０８を介して送信するために信号を多重化することができる変調器１７１８を含むことができる。
【００７７】
図１８は、本明細書で説明する機能の様々な態様を実装するために利用され得る別のシステム１８００のブロック図である。一例では、システム１８００は、基地局またはノードＢ１８０２を含む。図示のように、ノードＢ１８０２は、１つまたは複数の受信（Ｒｘ）アンテナ１８０６を介して１つまたは複数のＵＥ１８０４から（１つまたは複数の）信号を受信し、１つまたは複数の送信（Ｔｘ）アンテナ１８０８を介して１つまたは複数のＵＥ１８０４にその信号を送信することができる。さらに、ノードＢ１８０２は、（１つまたは複数の）受信アンテナ１８０６から情報を受信する受信機１８１０を備えることができる。一例では、受信機１８１０は、受信した情報を復調する復調器（Ｄｅｍｏｄ）１８１２に動作可能に結合され得る。次いで、復調されたシンボルは、プロセッサ１８１４によって分析され得る。プロセッサ１８１４は、コードクラスタ、アクセス端末割当て、それに関するルックアップテーブル、固有のスクランブル系列に関する情報、および／または他の好適なタイプの情報を記憶することができるメモリ１８１６に結合され得る。一例では、プロセッサ１８１４は、本明細書で例示し、説明する方法、ならびに／あるいは他の同様のおよび適切な方法のうちの１つまたは複数を実行するようにさらに動作可能であり得る。ノードＢ１８０２はまた、送信機１８２０によって（１つまたは複数の）送信アンテナ１８１８を介して送信するために信号を多重化することができる変調器１８０８を含むことができる。
【００７８】
次に図１９を参照すると、様々な態様によるワイヤレス多元接続通信システムの図が与えられている。一例では、アクセスポイント１９００（ＡＰ）は複数のアンテナグループを含む。図１９に示すように、１つのアンテナグループはアンテナ１９０４および１９０６を含み、別のアンテナグループはアンテナ１９０８および１９１０を含み、別のアンテナグループはアンテナ１９１２および１９１４を含むことができる。図１９では、アンテナグループごとに２つのアンテナのみが示されているが、アンテナグループごとにより多いまたはより少ないアンテナが利用され得ることを諒解されたい。別の例では、アクセス端末１９１６はアンテナ１９１２および１９１４と通信中であり得、アンテナ１９１２および１９１４は、順方向リンク１９２０上でアクセス端末１９１６に情報を送信し、逆方向リンク１９１８上でアクセス端末１９１６から情報を受信する。追加および／または代替として、アクセス端末１９２２はアンテナ１９０６および１９０８と通信中であり得、アンテナ１９０６および１９０８は、順方向リンク１９２６上でアクセス端末１９２２に情報を送信し、逆方向リンク１９２４上でアクセス端末１９２２から情報を受信する。周波数分割複信システムでは、通信リンク１９１８、１９２０、１９２４および１９２６は、通信のための異なる周波数を使用することができる。たとえば、順方向リンク１９２０は、逆方向リンク１９１８によって使用される周波数とは異なる周波数を使用することができる。
【００７９】
アンテナの各グループ、および／またはアンテナが通信するために設計されたエリアは、アクセスポイントのセクタと呼ばれることがある。一態様によれば、アンテナグループは、アクセスポイント１９００によってカバーされるエリアのセクタ中でアクセス端末に通信するように設計され得る。順方向リンク１９２０および１９２６上の通信では、アクセスポイント１９００の送信アンテナは、異なるアクセス端末１９１６および１９２２に対して順方向リンクの信号対雑音比を改善するためにビームフォーミングを利用することができる。また、アクセスポイントが、ビームフォーミングを使用して、そのカバレージ中にランダムに分散されたアクセス端末に送信するほうが、アクセスポイントが単一のアンテナを介してすべてのそのアクセス端末に送信するよりも、隣接セル中のアクセス端末への干渉が小さくなる。
【００８０】
アクセスポイント、たとえばアクセスポイント１９００は、端末と通信するために使用される固定局であり得、基地局、ｅＮＢ、アクセスネットワーク、および／または他の好適な用語で呼ばれることもある。さらに、アクセス端末、たとえばアクセス端末１９１６または１９２２は、モバイル端末、ユーザ機器、ワイヤレス通信デバイス、端末、ワイヤレス端末、および／または他の適切な用語で呼ばれることもある。
【００８１】
次に図２０を参照すると、本明細書で説明する様々な態様が機能することができる、例示的なワイヤレス通信システム２０００を示すブロック図が与えられている。一例では、システム２０００は、送信機システム２０１０と受信機システム２０５０とを含む多入力多出力（ＭＩＭＯ）システムである。ただし、送信機システム２０１０および／または受信機システム２０５０は、たとえば、（たとえば、基地局上の）複数の送信アンテナが１つまたは複数のシンボルストリームを単一のアンテナデバイス（たとえば、移動局）に送信することができる、多入力単出力システムにも適用され得ることを諒解されたい。さらに、本明細書で説明する送信機システム２０１０および／または受信機システム２０５０の態様は、単出力単入力アンテナシステムに関して利用され得ることを諒解されたい。
【００８２】
一態様によれば、送信機システム２０１０において、いくつかのデータストリームのトラフィックデータがデータソース２０１２から送信（ＴＸ）データプロセッサ２０１４に供給される。一例では、各データストリームは、次いで、それぞれの送信アンテナ２０２４を介して送信され得る。さらに、ＴＸデータプロセッサ２０１４は、コーディングされたデータを供給するために、それぞれのデータストリーム用に選択された特定のコーディング方式に基づいて、データストリームごとにトラフィックデータをフォーマット化し、符号化し、インターリーブすることができる。一例では、各データストリームのコーディングされたデータは、次いで、ＯＦＤＭ技法を使用してパイロットデータで多重化され得る。パイロットデータは、たとえば、既知の方法で処理される既知のデータパターンとすることができる。さらに、パイロットデータは、チャネル応答を推定するために受信機システム２０５０において使用され得る。送信機システム２０１０に戻ると、各データストリームの多重化されたパイロットデータおよびコーディングされたデータは、変調シンボルを供給するために、それぞれのデータストリーム用に選択された特定の変調方式（たとえば、ＢＰＳＫ、ＱＳＰＫ、Ｍ−ＰＳＫ、またはＭ−ＱＡＭ）に基づいて変調（たとえば、シンボルマッピング）され得る。一例では、各データストリームのデータレート、符号化、および変調は、プロセッサ２０３０上で実行される命令および／またはプロセッサ２０３０によって与えられる命令によって判断され得る。
【００８３】
次に、すべてのデータストリームの変調シンボルはＴＸプロセッサ２０２０に供給され得、ＴＸプロセッサ２０２０は、（たとえば、ＯＦＤＭ用に）変調シンボルをさらに処理することができる。ＴＸ  ＭＩＭＯプロセッサ２０２０は、次いで、ＮT個の変調シンボルストリームを、ＮT個のトランシーバ２０２２ａ〜２０２２ｔに供給することができる。一例では、各トランシーバ２０２２は、それぞれのシンボルストリームを受信し、処理して、１つまたは複数のアナログ信号を供給することができる。次いで、各トランシーバ２０２２は、それらのアナログ信号をさらに調整（たとえば、増幅、フィルタリング、およびアップコンバート）して、ＭＩＭＯチャネルを介して送信するのに適した変調信号を供給することができる。したがって、トランシーバ２０２２ａ〜２０２２ｔからのＮT個の変調信号は、次いで、それぞれ、ＮT個のアンテナ２０２４ａ〜２０２４ｔから送信され得る。
【００８４】
別の態様によれば、送信された変調信号は、ＮR個のアンテナ２０５２ａ〜２０５２ｒによって受信機システム２０５０において受信され得る。次いで、各アンテナ２０５２から受信した信号は、それぞれのトランシーバ２０５４に供給され得る。一例では、各トランシーバ２０５４は、それぞれの受信信号を調整（たとえば、フィルタ処理、増幅、およびダウンコンバート）し、調整された信号をデジタル化して、サンプルを供給し、次いで、それらのサンプルを処理して、対応する「受信」シンボルストリームを供給することができる。次いで、ＲＸ  ＭＩＭＯ／データプロセッサ２０６０は、特定の受信機処理技法に基づいてＮR個のトランシーバ２０５４からＮR個の受信シンボルストリームを受信し、処理して、ＮT個の「検出」シンボルストリームを供給することができる。一例では、各検出シンボルストリームは、対応するデータストリームに関して送信される変調シンボルの推定であるシンボルを含むことができる。次いで、ＲＸプロセッサ２０６０は、各検出シンボルストリームを少なくとも部分的に復調し、デインタリーブし、復号することによって、各シンボルストリームを処理して、対応するデータストリームに関するトラフィックデータを回復することができる。したがって、ＲＸデータプロセッサ２０６０による処理は、送信機システム２０１０においてＴＸ  ＭＩＭＯプロセッサ２０２０およびＴＸデータプロセッサ２０１４によって実行される処理を補足することができる。ＲＸプロセッサ２０６０は、さらに、処理されたシンボルストリームをデータシンク２０６４に供給することができる。
【００８５】
一態様によれば、ＲＸプロセッサ２０６０によって発生されるチャネル応答推定は、受信機において空間／時間処理を実行し、電力レベルを調整し、変調レートまたは方式を変更し、および／あるいは他の適切なアクションを実行するために使用され得る。さらに、ＲＸプロセッサ２０６０は、たとえば、検出シンボルストリームの信号対雑音干渉比（ＳＮＲ）などのチャネル特性をさらに推定することができる。次いで、ＲＸプロセッサ２０６０は、推定されたチャネル特性をプロセッサ２０７０に供給することができる。一例では、ＲＸプロセッサ２０６０および／またはプロセッサ２０７０は、システムに関する「動作」ＳＮＲの推定をさらに導出することができる。次いで、プロセッサ２０７０は、通信リンクおよび／または受信データストリームに関する情報を備えることができるチャネル状態情報（ＣＳＩ）を与えることができる。この情報は、たとえば、動作ＳＮＲを含むことができる。次いで、ＣＳＩは、ＴＸデータプロセッサ２０１８によって処理され、変調器２０８０によって変調され、トランシーバ２０５４ａ〜２０５４ｒによって調整され、送信機システム２０１０に返信され得る。さらに、受信機システム２０５０にあるデータソース２０１６は、ＴＸデータプロセッサ２０１８によって処理される追加のデータを与えることができる。
【００８６】
送信機システム２０１０に戻ると、次いで、受信機システム２０５０からの変調信号は、アンテナ２０２４によって受信され、トランシーバ２０２２によって調整され、復調器２０４０によって復調され、ＲＸデータプロセッサ２０４２によって処理されて、受信機システム２０５０によって報告されたＣＳＩを回復することができる。一例では、報告されたＣＳＩを、次いで、１つまたは複数のデータストリームのために使用すべきデータレートならびに符号化および変調方式を判断するために、プロセッサ２０３０に供給し、使用することができる。次いで、判断された符号化および変調方式を、受信機システム２０５０への後の送信における量子化および／または使用のためにトランシーバ２０２２に供給することができる。追加および／または代替として、プロセッサ２０３０が、報告されたＣＳＩを使用して、ＴＸデータプロセッサ２０１４およびＴＸ  ＭＩＭＯプロセッサ２０２０のための様々な制御を生成することができる。別の例では、ＲＸデータプロセッサ２０４２によって処理されたＣＳＩおよび／または他の情報をデータシンク２０４４に供給することができる。
【００８７】
一例では、送信機システム２０１０にあるプロセッサ２０３０および受信機システム２０５０にあるプロセッサ２０７０は、それらのそれぞれのシステムにおいて動作を指令する。さらに、送信機システム２０１０にあるメモリ２０３２および受信機システム２０５０にあるメモリ２０７２は、それぞれ、プロセッサ２０３０および２０７０によって使用されるプログラムコードおよびデータの記憶域を与えることができる。さらに、受信機システム２０５０において、様々な処理技法を使用して、ＮR個の受信信号を処理して、ＮT個の送信シンボルストリームを検出することができる。これらの受信機処理技法は、等化技法とも呼ばれることがある空間および時空間受信機処理技法、および／または「逐次干渉消去」もしくは「逐次消去」受信機処理技法とも呼ばれることがある「逐次ヌル化／等化および干渉消去」受信機処理技法を含むことができる。
【００８８】
本明細書で説明した態様は、ハードウェア、ソフトウェア、ファームウェア、ミドルウェア、マイクロコード、またはそれらの任意の組合せで実装され得ることを理解されたい。システムおよび／または方法は、ソフトウェア、ファームウェア、ミドルウェアまたはマイクロコード、プログラムコードまたはコードセグメントにおいて実装した場合、記憶構成要素などの機械可読媒体に記憶され得る。コードセグメントは、プロシージャ、関数、サブプログラム、プログラム、ルーチン、サブルーチン、モジュール、ソフトウェアパッケージ、クラス、または命令、データ構造もしくはプログラムステートメントの任意の組合せを表すことができる。コードセグメントは、情報、データ、引数、パラメータ、またはメモリ内容をパスおよび／または受信することによって、別のコードセグメントまたはハードウェア回路に結合され得る。情報、引数、パラメータ、データなどは、メモリ共有、メッセージパッシング、トークンパッシング、ネットワーク送信などを含む、適切な手段を使用してパス、フォワーディング、または送信され得る。
【００８９】
ソフトウェア実装の場合、本明細書で説明する技法は、本明細書で説明する機能を実行するモジュール（たとえば、プロシージャ、関数など）を用いて実装され得る。ソフトウェアコードは、メモリユニットに記憶され、プロセッサによって実行され得る。メモリユニットは、プロセッサの内部またはプロセッサの外部に実装され得、その場合、当技術分野で知られているように様々な手段によってプロセッサに通信可能に結合され得る。
【００９０】
上記の説明は１つまたは複数の態様の例を含む。もちろん、上述の態様について説明する目的で、構成要素または方法のあらゆる考えられる組合せについて説明することは不可能であるが、当業者なら、様々な態様の多数のさらなる組合せおよび置換が可能であることを認識できよう。したがって、説明した態様は、添付の特許請求の範囲の趣旨および範囲内に入るすべてのそのような改変形態、変更形態、および変形形態を包含するものとする。さらに、「含む（include）」という用語は、発明を実施するための形態または特許請求の範囲のいずれかにおいて使用される限り、「備える（comprising）」という用語を採用すると請求項における移行語と解釈されるように「備える（comprising）」と同様に包括的なものとする。さらに、発明を実施するための形態または特許請求の範囲のいずれかで使用される「または（or）」という用語は、「非排他的なまたは（non-exclusive or）」を意味するものとする。
【図１】
2015092674.tif 000004
【図２】
2015092674.tif 000005
【図３】
2015092674.tif 000006
【図４】
2015092674.tif 000007
【図５】
2015092674.tif 000008
【図６】
2015092674.tif 000009
【図７】
2015092674.tif 000010
【図８】
2015092674.tif 000011
【図９】
2015092674.tif 000012
【図１０】
2015092674.tif 000013
【図１１】
2015092674.tif 000014
【図１２】
2015092674.tif 000015
【図１３】
2015092674.tif 000016
【図１４】
2015092674.tif 000017
【図１５】
2015092674.tif 000018
【図１６】
2015092674.tif 000019
【図１７】
2015092674.tif 000020
【図１８】
2015092674.tif 000021
【図１９】
2015092674.tif 000022
【図２０】
2015092674.tif 000023
【手続補正書】
【提出日】平成26年12月19日(2014.12.19)
【手続補正１】
【補正対象書類名】特許請求の範囲
【補正対象項目名】全文
【補正方法】変更
【補正の内容】
【特許請求の範囲】
【請求項１】
許可メッセージのペイロード内の１つまたは複数のフィラービットを識別する処理と、
あらかじめ定義されたパターンに従って、前記許可メッセージの前記ペイロード内の前記１つまたは複数のフィラービットに値を割り当てる処理と
を備える方法。
【請求項２】
前記許可メッセージの前記ペイロード内の前記１つまたは複数のフィラービットがパディングビットを備える請求項１に記載の方法。
【請求項３】
前記許可メッセージの前記ペイロード内の前記１つまたは複数のフィラービットが、前記許可メッセージの前記ペイロード内の少なくとも１つの予約済みフィールドに対応する請求項１に記載の方法。
【請求項４】
前記あらかじめ定義されたパターンがオール０パターンである請求項１に記載の方法。
【請求項５】
あらかじめ定義されたフィラービットパターンに関係するデータを記憶するメモリと、
前記あらかじめ定義されたフィラービットパターンに従って、許可メッセージのペイロード内の１つまたは複数のフィラービットに値を割り当てるように構成されたプロセッサと
を備えるワイヤレス通信装置。
【請求項６】
前記許可メッセージの前記ペイロード内の前記１つまたは複数のフィラービットがパディングビットを備える請求項５に記載のワイヤレス通信装置。
【請求項７】
前記許可メッセージの前記ペイロード内の前記１つまたは複数のフィラービットが、前記許可メッセージの前記ペイロード内の少なくとも１つの予約済みフィールドに対応する請求項５に記載のワイヤレス通信装置。
【請求項８】
前記あらかじめ定義されたフィラービットパターンがオール０パターンを備える請求項５に記載のワイヤレス通信装置。
【請求項９】
許可メッセージに対応する１つまたは複数のフィラービットを識別するための手段と、
あらかじめ定義されたパターンに従って、前記許可メッセージに対応する前記１つまたは複数のフィラービットに値を割り当てるための手段と
を備える装置。
【請求項１０】
前記許可メッセージに対応する前記１つまたは複数のフィラービットがパディングビットを備える請求項９に記載の装置。
【請求項１１】
前記許可メッセージに対応する前記１つまたは複数のフィラービットが、前記許可メッセージのペイロード内の少なくとも１つの予約済みフィールドに関連する請求項９に記載の装置。
【請求項１２】
前記あらかじめ定義されたパターンがオール０パターンである請求項９に記載の装置。
【請求項１３】
コンピュータに、許可メッセージに対応する１つまたは複数のフィラービットを識別させるためのコードと、
コンピュータに、あらかじめ定義されたパターンに従って、前記許可メッセージに対応する前記１つまたは複数のフィラービットに値を割り当てさせるためのコードと
を有するコンピュータプログラムを記憶するコンピュータ可読記憶媒体。
【請求項１４】
前記許可メッセージに対応する前記１つまたは複数のフィラービットがパディングビットを備える請求項１３に記載のコンピュータ可読記憶媒体。
【請求項１５】
前記許可メッセージに対応する前記１つまたは複数のフィラービットが、前記許可メッセージのペイロード内の少なくとも１つの予約済みフィールドに関連する請求項１３に記載のコンピュータ可読記憶媒体。
【手続補正２】
【補正対象書類名】明細書
【補正対象項目名】００９０
【補正方法】変更
【補正の内容】
【００９０】
上記の説明は１つまたは複数の態様の例を含む。もちろん、上述の態様について説明する目的で、構成要素または方法のあらゆる考えられる組合せについて説明することは不可能であるが、当業者なら、様々な態様の多数のさらなる組合せおよび置換が可能であることを認識できよう。したがって、説明した態様は、添付の特許請求の範囲の趣旨および範囲内に入るすべてのそのような改変形態、変更形態、および変形形態を包含するものとする。さらに、「含む（include）」という用語は、発明を実施するための形態または特許請求の範囲のいずれかにおいて使用される限り、「備える（comprising）」という用語を採用すると請求項における移行語と解釈されるように「備える（comprising）」と同様に包括的なものとする。さらに、発明を実施するための形態または特許請求の範囲のいずれかで使用される「または（or）」という用語は、「非排他的なまたは（non-exclusive or）」を意味するものとする。
以下に、本願出願の当初の特許請求の範囲に記載された発明を付記する。
［１］候補許可のセットを受信する処理と、少なくとも１つの基準に基づいて、無効であると見なされたそれぞれの受信された候補許可を廃棄し、それにより、０個以上の残りの候補許可を生じる処理と、前記０個以上の残りの候補許可の中から０個以上の候補許可を選択する処理とを備える方法。
［２］前記受信する処理は、関連する制御チャネルに関してブラインド復号を実行する処理と、前記ブラインド復号に基づいて候補許可の前記セットを識別する処理と
を含む［１］に記載の方法。
［３］前記関連する制御チャネルが、物理ダウンリンク共有チャネル（ＰＤＳＣＨ）またはリレーＰＤＳＣＨ（Ｒ−ＰＤＳＣＨ）のためのリソース割振り情報を搬送する［２］に記載の方法。
［４］前記関連する制御チャネルが物理ダウンリンク制御チャネル（ＰＤＣＣＨ）を備える［３］に記載の方法。
［５］前記廃棄する処理は、関連する動作モードを識別する処理と、前記関連する動作モードに対応する有効な無線ネットワーク一時識別子（ＲＮＴＩ）値のセットを構築する処理と、有効なＲＮＴＩ値の前記セット中に含まれないＲＮＴＩ値を有すると判断されたそれぞれの候補許可を廃棄する処理とを含む［４］に記載の方法。
［６］前記構築する処理は、接続動作モードを識別することに応答して、接続ＲＮＴＩ（Ｃ−ＲＮＴＩ）値を有効なＲＮＴＩ値の前記セットに追加する処理を含む［５］に記載の方法。
［７］前記構築する処理は、ページングオケージョンを識別することに応答して、ページングＲＮＴＩ（Ｐ−ＲＮＴＩ）値を有効なＲＮＴＩ値の前記セットに追加する処理と、システム情報を監視または受信すべき時間間隔を識別することに応答して、システム情報ＲＮＴＩ（ＳＩ−ＲＮＴＩ）値を有効なＲＮＴＩ値の前記セットに追加する処理と、ランダムアクセスチャネル（ＲＡＣＨ）プロシージャを識別することに応答して、ランダムアクセスＲＮＴＩ（ＲＡ−ＲＮＴＩ）値を有効なＲＮＴＩ値の前記セットに追加する処理とのうちの１つまたは複数を含む［５］に記載の方法。
［８］前記構築する処理は、関連するダウンリンク構成を識別することに応答して、物理アップリンク制御チャネルＲＮＴＩのための送信電力制御（ＴＰＣ−ＰＵＣＣＨ−ＲＮＴＩ）値を有効なＲＮＴＩ値の前記セットに追加する処理と、関連するアップリンク構成を識別することに応答して、物理アップリンク共有チャネルＲＮＴＩのための送信電力制御（ＴＰＣ−ＰＵＳＣＨ−ＲＮＴＩ）値を有効なＲＮＴＩ値の前記セットに追加する処理とのうちの１つまたは複数を含む［５］に記載の方法。
［９］前記関連する制御チャネルが物理ブロードキャストチャネル（ＰＢＣＨ）を備える［２］に記載の方法。
［１０］前記廃棄する処理は、１つまたは複数の基準に従って、妥当性についてそれぞれの候補許可のペイロードを検査する処理と、前記検査することに基づいて、無効なペイロードを有することがわかったそれぞれの候補許可を廃棄する処理とを含む［１］に記載の方法。
［１１］前記廃棄する処理は、関連するデバイス能力のセットを識別する処理と、関連するデバイス能力の前記セットの外の１つまたは複数のパラメータを示すペイロードを有するそれぞれの候補許可を廃棄する処理とをさらに備える［１０］に記載の方法。
［１２］前記廃棄する処理は、無効なリソースブロックサイズ、無効な変調もしくは符号化方式、無効なプリコーディング情報、または無効な帯域幅構成値のうちの少なくとも１つを示すペイロードを有するそれぞれの候補許可を廃棄する処理をさらに備える［１０］に記載の方法。
［１３］前記廃棄する処理は、関連するリソース範囲を識別する処理と、前記関連するリソース範囲の外のリソースを示すペイロードを有するそれぞれの候補許可を廃棄する処理とをさらに備える［１０］に記載の方法。
［１４］前記廃棄する処理は、許可内のそれぞれのフィラービットのための利用されるべき予想パターンを識別する処理と、前記予想パターンに一致しない少なくとも１つのフィラービットを備えるペイロードを有するそれぞれの候補許可を廃棄する処理とをさらに備える［１０］に記載の方法。
［１５］前記廃棄する処理は、半永続的スケジューリング（ＳＰＳ）動作モードを識別する処理と、前記ＳＰＳ動作モードを識別することに応答して、送信ダイバーシティをシグナリングするには無効であるペイロードを有するそれぞれの候補許可を廃棄する処理とを含む［１０］に記載の方法。
［１６］前記０個以上の残りの候補許可に関連するアグリゲーションレベルに基づいて、前記０個以上の残りの候補許可の中から０個以上の候補許可を選択することを備える［１］に記載の方法。
［１７］前記選択する処理は、前記０個以上の残りの候補許可の中から最も高いアグリゲーションレベルを有する候補許可を選択する処理と、または前記０個以上の残りの候補許可の中から最も低いアグリゲーションレベルを有する候補許可を選択する処理とのうちの少なくとも１つをさらに備える［１６］に記載の方法。
［１８］前記選択する処理は、前記０個以上の残りの候補許可に関して実行される復号に関係するエネルギーメトリックに基づいて、前記０個以上の残りの候補許可の中から０個以上の候補許可を選択する処理を含む［１］に記載の方法。
［１９］前記選択する処理は、前記０個以上の残りの候補許可を残りのアップリンク許可と残りのダウンリンク許可とに分ける処理と、前記０個以上の残りの候補許可の中から残りのアップリンク許可または残りのダウンリンク許可のうちの少なくとも１つを選択する処理とを含む［１］に記載の方法。
［２０］候補許可のセットに関係するデータを記憶するメモリと、少なくとも１つの基準に基づいて、無効であると見なされたそれぞれの候補許可を廃棄し、それにより、０個以上の残りの候補許可を生じることと、前記０個以上の残りの候補許可の中から０個以上の候補許可を選択することとを行うように構成されたプロセッサとを備えるワイヤレス通信装置。
［２１］前記プロセッサは、少なくとも部分的に、関連する制御チャネルに関してブラインド復号を実行し、前記ブラインド復号に基づいて候補許可の前記セットを識別することによって、候補許可の前記セットを受信するようにさらに構成された［２０］に記載のワイヤレス通信装置。
［２２］前記関連する制御チャネルは、物理ダウンリンク共有チャネル（ＰＤＳＣＨ）またはリレーＰＤＳＣＨ（Ｒ−ＰＤＳＣＨ）のためのリソース割振り情報を搬送する［２１］に記載のワイヤレス通信装置。
［２３］前記関連する制御チャネルは、物理ダウンリンク制御チャネル（ＰＤＣＣＨ）を備える［２２］に記載のワイヤレス通信装置。
［２４］前記メモリは関連する動作モードに関係するデータをさらに記憶し、前記プロセッサは、前記関連する動作モードに対応する有効な無線ネットワーク一時識別子（ＲＮＴＩ）値のセットを構築し、有効なＲＮＴＩ値の前記セット中に含まれないＲＮＴＩ値を有すると判断されたそれぞれの候補許可を廃棄するようにさらに構成された［２３］に記載のワイヤレス通信装置。
［２５］前記関連する制御チャネルが物理ブロードキャストチャネル（ＰＢＣＨ）を備える［２１］に記載のワイヤレス通信装置。
［２６］前記プロセッサは、１つまたは複数の基準に従って、妥当性についてそれぞれの候補許可のペイロードを検査し、無効なペイロードを有することがわかったそれぞれの候補許可を廃棄するようにさらに構成された［２０］に記載のワイヤレス通信装置。
［２７］前記メモリは関連するデバイス能力のセットに関係するデータをさらに記憶し、前記プロセッサは、関連するデバイス能力の前記セットの外の１つまたは複数のパラメータを示すペイロードを有するそれぞれの候補許可を廃棄するようにさらに構成された［２６］に記載のワイヤレス通信装置。
［２８］前記プロセッサは、無効なリソースブロックサイズ、無効な変調もしくは符号化方式、無効なプリコーディング情報、無効な帯域幅構成値、または所定の有効なリソース範囲の外のリソースを含むリソース割振りのうちの少なくとも１つを示すペイロードを有するそれぞれの候補許可を廃棄するようにさらに構成された［２６］に記載のワイヤレス通信装置。
［２９］前記メモリは許可内のそれぞれのフィラービットのための利用されるべき予想パターンに関係するデータをさらに記憶し、前記プロセッサは、前記予想パターンに一致しない少なくとも１つのフィラービットを備えるペイロードを有するそれぞれの候補許可を廃棄するようにさらに構成された［２６］に記載のワイヤレス通信装置。
［３０］前記メモリは半永続的スケジューリング（ＳＰＳ）動作モードに関係するデータをさらに記憶し、前記プロセッサは、前記ＳＰＳ動作モードを識別することに応答して、送信ダイバーシティをシグナリングするには無効であるペイロードを有するそれぞれの候補許可を廃棄するようにさらに構成された［２６］に記載のワイヤレス通信装置。
［３１］前記プロセッサは、前記０個以上の残りの候補許可に関連するアグリゲーションレベルに基づいて、前記０個以上の残りの候補許可の中から０個以上の候補許可を選択するようにさらに構成された［２０］に記載のワイヤレス通信装置。
［３２］前記プロセッサは、前記０個以上の残りの候補許可に関して実行される復号に関係するエネルギーメトリックに基づいて、前記０個以上の残りの候補許可の中から０個以上の候補許可を選択するようにさらに構成された［２０］に記載のワイヤレス通信装置。
［３３］前記プロセッサは、前記０個以上の残りの候補許可を残りのアップリンク許可と残りのダウンリンク許可とに分け、前記０個以上の残りの候補許可の中から残りのアップリンク許可または残りのダウンリンク許可のうちの少なくとも１つを選択するようにさらに構成された［２０］に記載のワイヤレス通信装置。
［３４］候補許可のセットを受信するための手段と、０個以上の残りの候補許可を取得するために、少なくとも１つのファクタに基づいて、無効であると見なされたそれぞれの受信された候補許可を廃棄するための手段と、前記０個以上の残りの候補許可の中から０個以上の候補許可を選択するための手段とを備える装置。
［３５］前記受信するための手段は、関連する制御チャネルに関してブラインド復号を実行するための手段と、前記ブラインド復号に基づいて候補許可の前記セットを識別するための手段とを含む［３４］に記載の装置。
［３６］前記関連する制御チャネルが物理ダウンリンク制御チャネル（ＰＤＣＣＨ）を備える［３５］に記載の装置。
［３７］前記廃棄するための手段は、関連する動作モードを識別するための手段と、
前記関連する動作モードに対応する有効な無線ネットワーク一時識別子（ＲＮＴＩ）値のセットを構築するための手段と、有効なＲＮＴＩ値の前記セット中に含まれないＲＮＴＩ値を有すると判断されたそれぞれの候補許可を廃棄するための手段とを含む［３６］に記載の装置。
［３８］前記関連する制御チャネルが物理ブロードキャストチャネル（ＰＢＣＨ）を備える［３５］に記載の装置。
［３９］前記廃棄するための手段は、１つまたは複数のファクタに従って、妥当性についてそれぞれの候補許可のペイロードを検査するための手段と、検査のための前記手段の動作に基づいて、無効なペイロードを有することがわかったそれぞれの候補許可を廃棄するための手段とを含む［３４］に記載の装置。
［４０］前記廃棄するための手段は、関連するデバイス能力のセットを識別するための手段と、関連するデバイス能力の前記セットの外の１つまたは複数のパラメータを示すペイロードを有するそれぞれの候補許可を廃棄するための手段とをさらに備える［３９］に記載の装置。
［４１］前記廃棄するための手段は、無効なリソースブロックサイズ、無効な変調もしくは符号化方式、無効なプリコーディング情報、無効な帯域幅構成値、またはサポートされたリソース範囲の外のリソース割振りのうちの少なくとも１つを示すペイロードを有するそれぞれの候補許可を廃棄するための手段をさらに備える［３９］に記載の装置。
［４２］前記廃棄するための手段は、許可内のそれぞれのフィラービットのための利用されるべき予想パターンを識別するための手段と、前記予想パターンに一致しない少なくとも１つのフィラービットを備えるペイロードを有するそれぞれの候補許可を廃棄するための手段とをさらに備える［３９］に記載の装置。
［４３］前記選択するための手段は、前記０個以上の残りの候補許可に関連するアグリゲーションレベル、または前記０個以上の残りの候補許可に関して実行される復号に関連するエネルギーメトリックのうちの少なくとも１つに基づいて、前記０個以上の残りの候補許可の中から０個以上の候補許可を選択するための手段を含む［３４］に記載の装置。
［４４］前記選択するための手段は、前記０個以上の残りの候補許可を残りのアップリンク許可と残りのダウンリンク許可とに分離するための手段と、前記０個以上の残りの候補許可の中から残りのアップリンク許可または残りのダウンリンク許可のうちの少なくとも１つを選択するための手段と含む［３４］に記載の装置。
［４５］コンピュータに候補許可のセットを受信させるためのコードと、コンピュータに、０個以上の残りの候補許可を取得するために、少なくとも１つのファクタに基づいて、無効であると見なされたそれぞれの受信された候補許可を廃棄させるためのコードと、コンピュータに、前記０個以上の残りの候補許可の中から０個以上の候補許可を選択させるためのコードとを有するコンピュータ可読媒体を備えたコンピュータプログラム製品。
［４６］前記コンピュータに受信させるためのコードは、コンピュータに、関連する制御チャネルに関してブラインド復号を実行させるためのコードと、コンピュータに、前記ブラインド復号に基づいて候補許可の前記セットを識別させるためのコードとを含む［４５］に記載のコンピュータプログラム製品。
［４７］前記関連する制御チャネルが物理ダウンリンク制御チャネル（ＰＤＣＣＨ）を備える［４６］に記載のコンピュータプログラム製品。
［４８］前記コンピュータに廃棄させるためのコードは、コンピュータに、関連する動作モードを識別させるためのコードと、コンピュータに、前記関連する動作モードに対応する有効な無線ネットワーク一時識別子（ＲＮＴＩ）値のセットを構築させるためのコードと、コンピュータに、有効なＲＮＴＩ値の前記セット中に含まれないＲＮＴＩ値を有すると判断されたそれぞれの候補許可を廃棄させるためのコードとを含む［４７］に記載のコンピュータプログラム製品。
［４９］前記関連する制御チャネルが物理ブロードキャストチャネル（ＰＢＣＨ）を備える［４６］に記載のコンピュータプログラム製品。
［５０］前記コンピュータに廃棄させるためのコードは、コンピュータに、１つまたは複数のファクタに従って、妥当性についてそれぞれの候補許可のペイロードを検査させるためのコードと、コンピュータに、検査のための前記手段の動作に基づいて、無効なペイロードを有することがわかったそれぞれの候補許可を廃棄させるためのコードとを含む［４５］に記載のコンピュータプログラム製品。
［５１］前記コンピュータに選択させるためのコードは、コンピュータに、前記０個以上の残りの候補許可に関連するアグリゲーションレベル、または前記０個以上の残りの候補許可に関して実行される復号に関連するエネルギーメトリックのうちの少なくとも１つに基づいて、前記０個以上の残りの候補許可の中から０個以上の候補許可を選択させるためのコードを含む［４５］コンピュータプログラム製品。
［５２］許可メッセージのペイロード内の１つまたは複数のフィラービットを識別する処理と、あらかじめ定義されたパターンに従って、前記許可メッセージの前記ペイロード内の前記１つまたは複数のフィラービットに値を割り当てる処理とを備える方法。
［５３］前記許可メッセージの前記ペイロード内の前記１つまたは複数のフィラービットがパディングビットを備える［５２］に記載の方法。
［５４］前記許可メッセージの前記ペイロード内の前記１つまたは複数のフィラービットが、前記許可メッセージの前記ペイロード内の少なくとも１つの予約済みフィールドに対応する［５２］に記載の方法。
［５５］前記あらかじめ定義されたパターンがオール０パターンである［５２］に記載の方法。
［５６］あらかじめ定義されたフィラービットパターンに関係するデータを記憶するメモリと、前記あらかじめ定義されたフィラービットパターンに従って、許可メッセージのペイロード内の１つまたは複数のフィラービットに値を割り当てるように構成されたプロセッサとを備えるワイヤレス通信装置。
［５７］前記許可メッセージの前記ペイロード内の前記１つまたは複数のフィラービットがパディングビットを備える［５６］に記載のワイヤレス通信装置。
［５８］前記許可メッセージの前記ペイロード内の前記１つまたは複数のフィラービットが、前記許可メッセージの前記ペイロード内の少なくとも１つの予約済みフィールドに対応する［５６］に記載のワイヤレス通信装置。
［５９］前記あらかじめ定義されたフィラービットパターンがオール０パターンを備える［５６］に記載のワイヤレス通信装置。
［６０］許可メッセージに対応する１つまたは複数のフィラービットを識別するための手段と、あらかじめ定義されたパターンに従って、前記許可メッセージに対応する前記１つまたは複数のフィラービットに値を割り当てるための手段とを備える装置。
［６１］前記許可メッセージに対応する前記１つまたは複数のフィラービットがパディングビットを備える［６０］に記載の装置。
［６２］前記許可メッセージに対応する前記１つまたは複数のフィラービットが、前記許可メッセージのペイロード内の少なくとも１つの予約済みフィールドに関連する［６０］に記載の装置。
［６３］前記あらかじめ定義されたパターンがオール０パターンである［６０］に記載の装置。
［６４］コンピュータに、許可メッセージに対応する１つまたは複数のフィラービットを識別させるためのコードと、コンピュータに、あらかじめ定義されたパターンに従って、前記許可メッセージに対応する前記１つまたは複数のフィラービットに値を割り当てさせるためのコードとを有するコンピュータ可読媒体を備えたコンピュータプログラム製品。
［６５］前記許可メッセージに対応する前記１つまたは複数のフィラービットがパディングビットを備える［６４］に記載のコンピュータプログラム製品。
［６６］前記許可メッセージに対応する前記１つまたは複数のフィラービットが、前記許可メッセージのペイロード内の少なくとも１つの予約済みフィールドに関連する［６４］に記載のコンピュータプログラム製品。
【外国語明細書】
2015092674000001.pdf